(57)【要約】【課題】高解像度ディスプレイ装置を有するテレビ受信機（制御対象機器）の表示画面を表示させるとともに、当該表示の移動、表示倍率変更、表示角度変更等の処理を、感覚的な操作により、迅速に実行することができる制御システムを実現することを目的とする。【解決手段】制御システム１０００では、リモートコントロール装置２の第２表示部２３の表示画面の１点を特定することで、すなわち、１点特定情報を取得することで、絶対位置座標による表示位置変更処理（移動処理）を行うことができる。したがって、例えば、制御対象装置１を、高解像度ディスプレイ装置を有するテレビ受信機（制御対象機器）としたとき、リモートコントロール装置の第２表示部２３に、制御対象装置の表示画面を表示させるとともに、当該表示の移動を、感覚的な操作により、迅速に実行することができる。【選択図】図１
2016015704.tif 000002
【特許請求の範囲】
【請求項１】
制御対象装置と、リモートコントロール装置とを備える制御システムであって、
前記制御対象装置は、
映像を表示させるための第１表示部と、
前記第１表示部に映像を表示させるために、前記第１表示部に対して、駆動制御を行う第１表示制御部と、
前記第１表示部に表示される前記映像から、前記映像の一部または全部を抽出することで、調整後映像信号を取得する調整部と、
前記第１表示制御部および前記調整部を制御する主装置制御部と、
前記調整部により取得された前記調整後映像信号を前記リモートコントロール装置に送信するための主装置側インターフェース部と、
を備え、
前記リモートコントロール装置は、
映像を表示させるための第２表示部と、
前記第２表示部に映像を表示させるために、前記第２表示部に対して、駆動制御を行う第２表示制御部と、
前記第２表示部に表示される映像の表示を制御するための情報を入力する入力制御部と、
前記第２表示部に表示されている映像の表示を変更するための表示操作モードと、前記制御対象装置の機器操作を行うための機器操作モードとを切り替えるモード切替部と、
前記制御対象装置の前記主装置側インターフェース部と通信するためのコントローラ側インターフェース部と、
を備え、
前記表示操作モードに設定されている場合であって、前記第２表示部の表示画面上の位置を特定する情報である位置特定情報が前記入力制御部に入力された場合、
前記入力制御部は、前記位置特定情報を、前記コントローラ側インターフェース部と、前記主装置側インターフェース部とを介して、前記主装置制御部に出力し、
前記主装置制御部は、前記第１表示部の表示画面全体に設定した座標平面を、前記第２表示部の表示画面全体に設定した座標平面に対応付けることで、絶対位置座標を設定し、
前記調整部は、前記位置特定情報が示す点に相当する、前記第１表示部の表示画面の前記絶対位置座標上の点を含む画像領域であって、前記第１表示部に表示されている前記画像領域を形成する前記調整後映像信号を取得し、
前記第２表示制御部は、前記調整後映像信号に基づいて、前記画像領域を前記第２表示部に表示させる、
制御システム。
【請求項２】
前記位置特定情報は、前記第２表示部の表示画面上の１点を特定する情報である、
請求項１に記載の制御システム。
【請求項３】
前記表示操作モードに設定されている場合であって、前記第２表示部の表示画面に表示されている画像を第１方向にシフトさせて表示更新させるための情報である表示更新用情報が前記入力制御部に入力された場合、
前記入力制御部は、前記表示更新用情報を、前記コントローラ側インターフェース部と、前記主装置側インターフェース部とを介して、前記主装置制御部に出力し、
前記主装置制御部は、前記第１表示部の表示画面の一部に設定した座標平面を、前記第２表示部の表示画面全体に設定した座標平面に対応付けることで、相対位置座標を設定し、
前記調整部は、前記第１表示部の表示画面上において、前記相対位置座標に設定されている前記第１表示部の表示画面の領域を、前記第１方向と逆方向にずらした位置に存在する画像領域であるシフト後画像領域を形成する前記調整後映像信号を取得し、
前記第２表示制御部は、前記調整後映像信号に基づいて、前記シフト後画像領域を前記第２表示部に表示させる、
請求項１または２に記載の制御システム。
【請求項４】
前記表示操作モードに設定されている場合であって、前記第２表示部の表示画面上の２点を特定する情報である２点特定情報が前記入力制御部に入力された場合、
前記入力制御部は、前記２点特定情報を、前記コントローラ側インターフェース部と、前記主装置側インターフェース部とを介して、前記主装置制御部に出力し、
前記主装置制御部は、前記第１表示部の表示画面の一部に設定した座標平面を、前記第２表示部の表示画面全体に設定した座標平面に対応付けることで、相対位置座標を設定し、
前記２点特定情報が示す２つの点が、第１方向にずらされている場合、
前記調整部は、前記第１表示部の表示画面上において、前記相対位置座標に設定されている前記第１表示部の表示画面の領域を、前記第１方向と逆方向にずらした位置に存在する画像領域であるシフト後画像領域を形成する前記調整後映像信号を取得し、
前記第２表示制御部は、前記調整後映像信号に基づいて、前記シフト後画像領域を前記第２表示部に表示させる、
請求項１または２に記載の制御システム。
【請求項５】
前記表示操作モードに設定されている場合であって、前記第２表示部の表示画面に表示されている画像を拡大して表示更新させるための情報である拡大表示用情報が前記入力制御部に入力された場合、
前記入力制御部は、前記拡大表示用情報を、前記コントローラ側インターフェース部と、前記主装置側インターフェース部とを介して、前記主装置制御部に出力し、
前記主装置制御部は、前記第１表示部の表示画面の一部に設定した座標平面を、前記第２表示部の表示画面全体に設定した座標平面に対応付けることで、相対位置座標を設定し、
前記調整部は、前記拡大表示用情報に基づいて、前記第１表示部の表示画面上において、前記相対位置座標に設定されている前記第１表示部の表示画面の領域を、縮小した大きさの画像領域である縮小後画像領域を形成する前記調整後映像信号を取得し、
前記第２表示制御部は、前記調整後映像信号に基づいて、前記縮小後画像領域を前記第２表示部に表示させる、
請求項１または２に記載の制御システム。
【請求項６】
前記表示操作モードに設定されている場合であって、前記第２表示部の表示画面上の２点を特定する情報である２点特定情報が前記入力制御部に入力された場合、
前記入力制御部は、前記２点特定情報を、前記コントローラ側インターフェース部と、前記主装置側インターフェース部とを介して、前記主装置制御部に出力し、
前記主装置制御部は、前記第１表示部の表示画面の一部に設定した座標平面を、前記第２表示部の表示画面全体に設定した座標平面に対応付けることで、相対位置座標を設定し、
前記２点特定情報が示す２つの点の間の距離が大きくなるように変化している場合、
前記調整部は、前記第１表示部の表示画面上において、前記相対位置座標に設定されている前記第１表示部の表示画面の領域を、縮小した大きさの画像領域である縮小後画像領域を形成する前記調整後映像信号を取得し、
前記第２表示制御部は、前記調整後映像信号に基づいて、前記縮小後画像領域を前記第２表示部に表示させる、
請求項１または２に記載の制御システム。
【請求項７】
前記表示操作モードに設定されている場合であって、前記第２表示部の表示画面に表示されている画像を縮小して表示更新させるための情報である縮小表示用情報が前記入力制御部に入力された場合、
前記入力制御部は、前記縮小表示用情報を、前記コントローラ側インターフェース部と、前記主装置側インターフェース部とを介して、前記主装置制御部に出力し、
前記主装置制御部は、前記第１表示部の表示画面の一部に設定した座標平面を、前記第２表示部の表示画面全体に設定した座標平面に対応付けることで、相対位置座標を設定し、
前記調整部は、前記縮小表示用情報に基づいて、前記第１表示部の表示画面上において、前記相対位置座標に設定されている前記第１表示部の表示画面の領域を、拡大した大きさの画像領域である拡大後画像領域を形成する前記調整後映像信号を取得し、
前記第２表示制御部は、前記調整後映像信号に基づいて、前記拡大後画像領域を前記第２表示部に表示させる、
請求項１または２に記載の制御システム。
【請求項８】
前記表示操作モードに設定されている場合であって、前記第２表示部の表示画面上の２点を特定する情報である２点特定情報が前記入力制御部に入力された場合、
前記入力制御部は、前記２点特定情報を、前記コントローラ側インターフェース部と、前記主装置側インターフェース部とを介して、前記主装置制御部に出力し、
前記主装置制御部は、前記第１表示部の表示画面の一部に設定した座標平面を、前記第２表示部の表示画面全体に設定した座標平面に対応付けることで、相対位置座標を設定し、
前記２点特定情報が示す２つの点の間の距離が小さくなるように変化している場合、
前記調整部は、前記第１表示部の表示画面上において、前記相対位置座標に設定されている前記第１表示部の表示画面の領域を、拡大した大きさの画像領域である拡大後画像領域を形成する前記調整後映像信号を取得し、
前記第２表示制御部は、前記調整後映像信号に基づいて、前記拡大後画像領域を前記第２表示部に表示させる、
請求項１または２に記載の制御システム。
【請求項９】
前記表示操作モードに設定されている場合であって、前記第２表示部の表示画面に表示されている画像を第１回転方向に回転して表示更新させるための情報である回転表示用情報が前記入力制御部に入力された場合、
前記入力制御部は、前記回転表示用情報を、前記コントローラ側インターフェース部と、前記主装置側インターフェース部とを介して、前記主装置制御部に出力し、
前記主装置制御部は、前記第１表示部の表示画面の一部に設定した座標平面を、前記第２表示部の表示画面全体に設定した座標平面に対応付けることで、相対位置座標を設定し、
前記調整部は、前記回転表示用情報に基づいて、前記第１表示部の表示画面上において、前記相対位置座標に設定されている前記第１表示部の表示画面の領域を、前記第１回転方向と逆方向に回転した位置に存在する画像領域である回転後画像領域を形成する前記調整後映像信号を取得し、
前記第２表示制御部は、前記調整後映像信号に基づいて、前記回転後画像領域を前記第２表示部に表示させる、
請求項１または２に記載の制御システム。
【請求項１０】
前記表示操作モードに設定されている場合であって、前記第２表示部の表示画面上の２点を特定する情報である２点特定情報が前記入力制御部に入力された場合、
前記入力制御部は、前記２点特定情報を、前記コントローラ側インターフェース部と、前記主装置側インターフェース部とを介して、前記主装置制御部に出力し、
前記主装置制御部は、前記第１表示部の表示画面の一部に設定した座標平面を、前記第２表示部の表示画面全体に設定した座標平面に対応付けることで、相対位置座標を設定し、
前記２点特定情報が示す２つの点が所定の回転方向である第１回転方向に移動している場合、
前記調整部は、前記第１表示部の表示画面上において、前記相対位置座標に設定されている前記第１表示部の表示画面の領域を、前記第１回転方向と逆方向に回転した位置に存在する画像領域である回転後画像領域を形成する前記調整後映像信号を取得し、
前記第２表示制御部は、前記調整後映像信号に基づいて、前記回転後画像領域を前記第２表示部に表示させる、
請求項１または２に記載の制御システム。
【請求項１１】
前記モード切替部は、
表示位置変更可否情報を入力することができ、
（１）前記モード切替部に入力された前記表示位置変更可否情報が、表示位置変更を許可することを示す情報である場合、
前記第２表示部は、前記調整後映像信号に基づいて、前記第２表示部の表示を変更させ、
（２）前記モード切替部に入力された前記表示位置変更可否情報が、表示位置変更を許可しないことを示す情報である場合、
前記第２表示部は、前記調整後映像信号に基づく前記第２表示部の表示の変更を実行しない、
請求項１から１０のいずれかに記載の制御システム。
【請求項１２】
前記制御対象装置は、
マーカーに関する情報を記憶する記憶部をさらに備え、
前記リモートコントロール装置は、
前記入力制御部からの指令に基づいて、前記調整後映像信号に、所定の情報を含む副映像信号を合成することで、合成後映像信号を取得する第２映像合成部をさらに備え、
前記第２表示制御部は、前記第２表示部に、前記合成後映像信号を表示するように、前記第２表示部を制御し、
前記主装置制御部は、前記第２表示部に表示されている画像領域に対応する、前記第１表示部に表示されている表示画面上の画像領域に、マーカーが重畳して表示されるように、前記第１表示制御部を制御する、
請求項１から１１のいずれかに記載の制御システム。
【請求項１３】
前記主装置制御部は、ユーザーによる所定の操作が実行された場合、前記第２表示部に表示されている画像領域に対応する、前記第１表示部に表示されている表示画面上の画像領域の情報をマーカー情報として、前記記憶部に記憶する、
請求項１２に記載の制御システム。
【請求項１４】
前記主装置制御部は、ユーザーによる所定の操作が実行された場合、前記記憶部に記憶されている前記マーカー情報を読み出し、前記第１表示部の表示画面上において、読み出した前記マーカー情報により特定される画像領域に、マーカーが重畳して表示されるように、前記第１表示制御部を制御する、
請求項１３に記載の制御システム。
【請求項１５】
前記制御対象装置は、
マーカーに関する情報を記憶する記憶部をさらに備え、
前記リモートコントロール装置は、
前記入力制御部からの指令に基づいて、前記調整後映像信号に、所定の情報を含む副映像信号を合成することで、合成後映像信号を取得する第２映像合成部をさらに備え、
前記第２表示制御部は、前記第２表示部に、前記合成後映像信号を表示するように、前記第２表示部を制御し、
前記入力制御部は、前記第２表示部に表示されている画像領域に対応する、前記第１表示部に表示されている表示画面上の画像領域に、マーカーを重畳させた映像を縮小して、前記調整後映像信号に、合成されることで、前記合成後映像信号が生成されるように、前記第２映像合成部を制御する、
請求項１から１１のいずれかに記載の制御システム。
【発明の詳細な説明】
【技術分野】
【０００１】
本発明は、高解像度ディスプレイ装置等の表示装置を有する機器と、当該機器を制御するためのリモートコントロール装置（例えば、タッチパネル付き表示装置）とを備える制御システムに関する。
【背景技術】
【０００２】
近年、ハイビジョン放送やデータ放送等を受信するテレビ受信機として、高解像度ディスプレイ装置を有するテレビ受信機が多く用いられるようになってきている。このようなテレビ受信機において、データ放送等のコンテンツや、ハイビジョン放送と同時に送信される番組表のデータ等を表示し、当該表示に基づいて、インタラクティブな操作を実行することで、多様な機能を実現することができるようになってきている。このようなインタラクティブな操作を、表示装置を有するリモートコントロール装置を用いて、実行できるようにする技術も開発されている。例えば、特許文献１には、リモートコントロール装置にテレビ受信機の画面を表示させ、当該画面を見ながら、インタラクティブな操作を実行できるようにする技術が開示されている。
【先行技術文献】
【特許文献】
【０００３】
【特許文献１】特開２００１−１５７２８４号公報
【発明の概要】
【発明が解決しようとする課題】
【０００４】
しかしながら、特許文献１に開示されている技術では、制御対象機器に表示される映像の解像度があまり高くない場合が想定されており、特許文献１の技術を用いて、例えば、高解像度ディスプレイ装置を有するテレビ受信機（制御対象機器）の表示画面全体を、リモートコントロール装置の表示画面に表示させると、ディテール部分がつぶれてしまう。
【０００５】
このような課題に対処するために、リモートコントロール装置において、高解像度ディスプレイ装置を有するテレビ受信機（制御対象機器）の表示画面を表示させるとともに、当該表示の移動、表示倍率変更、表示角度変更等の処理を、感覚的な操作により、迅速に実行することができるようにする技術の実現が求められている。
【０００６】
そこで、本発明は、高解像度ディスプレイ装置を有するテレビ受信機（制御対象機器）の表示画面を表示させるとともに、当該表示の移動、表示倍率変更、表示角度変更等の処理を、感覚的な操作により、迅速に実行することができる制御システムを実現することを目的とする。
【課題を解決するための手段】
【０００７】
上記課題を解決するために、第１の構成は、制御対象装置と、リモートコントロール装置とを備える制御システムである。
【０００８】
制御対象装置は、映像を表示させるための第１表示部と、第１表示制御部と、調整部と、主装置制御部と、主装置側インターフェース部と、を備える。
【０００９】
リモートコントロール装置は、映像を表示させるための第２表示部と、第２表示制御部と、入力制御部と、モード切替部と、のコントローラ側インターフェース部と、を備える。
【００１０】
第１表示制御部は、第１表示部に映像を表示させるために、第１表示部に対して、駆動制御を行う。
【００１１】
調整部は、第１表示部に表示される映像から、映像の一部または全部を抽出することで、調整後映像信号を取得する。
【００１２】
主装置制御部は、第１表示制御部および調整部を制御する。
【００１３】
主装置側インターフェース部は、調整部により取得された調整後映像信号をリモートコントロール装置に送信するためのインターフェースである。
【００１４】
第２表示制御部は、第２表示部に映像を表示させるために、第２表示部に対して、駆動制御を行う。
【００１５】
入力制御部は、第２表示部に表示される映像の表示を制御するための情報を入力する。
【００１６】
モード切替部は、第２表示部に表示されている映像の表示を変更するための表示操作モードと、制御対象装置の機器操作を行うための機器操作モードとを切り替える。
【００１７】
コントローラ側インターフェース部は、制御対象装置の主装置側インターフェース部と通信するためのインターフェースである。
【００１８】
そして、表示操作モードに設定されている場合であって、第２表示部の表示画面上の１点を特定する情報である１点特定情報が入力制御部に入力された場合、
入力制御部は、１点特定情報を、コントローラ側インターフェース部と、主装置側インターフェース部とを介して、主装置制御部に出力し、
主装置制御部は、第１表示部の表示画面全体に設定した座標平面を、第２表示部の表示画面全体に設定した座標平面に対応付けることで、絶対位置座標を設定し、
調整部は、１点特定情報が示す点Ｐ２に相当する、第１表示部の表示画面の絶対位置座標上の点Ｐ１を含む画像領域ＡＲ１であって、第１表示部に表示されている画像領域ＡＲ１を形成する調整後映像信号を取得し、
第２表示制御部は、調整後映像信号に基づいて、画像領域ＡＲ１を第２表示部に表示させる。
【発明の効果】
【００１９】
本発明によれば、高解像度ディスプレイ装置を有するテレビ受信機（制御対象機器）の表示画面を表示させるとともに、当該表示の移動、表示倍率変更、表示角度変更等の処理を、感覚的な操作により、迅速に実行することができる制御システムを実現することができる。
【図面の簡単な説明】
【００２０】
【図１】第１実施形態に係る制御システム１０００の概略構成図。
【図２】絶対位置座標による表示位置変更処理について説明するための図。
【図３】絶対位置座標による表示位置変更処理後の制御対象装置１と、リモートコントロール装置２との状態を示す図。
【図４】絶対位置座標について、説明するための図。
【図５】相対位置座標による表示位置変更処理について説明するための図。
【図６】相対位置座標による表示位置変更処理後の制御対象装置１と、リモートコントロール装置２との状態を示す図。
【図７】相対位置座標について、説明するための図。
【図８】表示拡大率変更処理について説明するための図。
【図９】表示拡大率変更処理後の制御対象装置１と、リモートコントロール装置２との状態を示す図。
【図１０】表示角度変更処理について説明するための図。
【図１１】表示角度変更処理後の制御対象装置１と、リモートコントロール装置２との状態を示す図。
【図１２】第２実施形態に係る制御システム２０００の概略構成図。
【図１３】第３実施形態に係る制御システム３０００の概略構成図。
【図１４】第３実施形態に係る制御システム３０００の制御対象装置１Ａおよびリモートコントロール装置２Ｂを模式的に示した図。
【図１５】第４実施形態に係る制御システム４０００の概略構成図。
【図１６】絶対位置座標による表示位置変更処理について説明するための図。
【図１７】リモートコントロール装置２Ｃの第２表示部２３に表示させる画像領域を変更する場合の操作について説明するための図。
【図１８】表示拡大率変更処理について説明するための図。
【図１９】マーカーの呼び出し処理について説明するための図。
【図２０】第５実施形態に係る制御システム５０００の概略構成図。
【図２１】表示角度変更処理について、説明するための図。
【図２２】表示角度変更処理について、説明するための図。
【発明を実施するための形態】
【００２１】
［第１実施形態］
第１実施形態について、図面を参照しながら、以下、説明する。
【００２２】
＜１．１：制御システムの構成＞
図１は、第１実施形態に係る制御システム１０００の概略構成図である。
【００２３】
制御システム１０００は、図１に示すように、制御対象装置１と、制御対象装置１を制御するリモートコントロール装置２と、を備える。
【００２４】
制御対象装置１は、図１に示すように、映像合成部１１と、第１表示制御部１２と、第１表示部１３と、主装置制御部１４と、調整部１５と、主装置側インターフェース部１６と、を備える。制御対象装置１は、例えば、ハイビジョン方法やデータ放送等を受信することができるテレビ受信機である。なお、図１では、制御対象装置１が、ハイビジョン方法やデータ放送等を受信するテレビ受信機である場合に必要となる機能部（アンテナ受信部、ＲＦ復調部、デジタル復調部、デコード部等）については、図示を省略している。
【００２５】
映像合成部１１は、映像信号Ｖｉｎと、データ信号Ｄｉｎと、を入力する。また、映像合成部１１は、主装置制御部１４から出力される制御信号ｃｔｌ１を入力する。映像合成部１１は、制御信号ｃｔｌ１に基づいて、（１）映像信号Ｖｉｎをそのまま映像信号Ｄ０として、第１表示制御部１２に出力する、あるいは、（２）映像信号Ｖｉｎと、データ信号Ｄｉｎに基づいて生成される映像信号（例えば、ＯＳＤ（Ｏｎ  Ｓｃｒｅｅｎ  Ｄｉｓｐｌａｙ）信号）とを重畳させることで生成される映像信号を映像信号Ｄ０として、第１表示制御部１２に出力する、あるいは、（３）データ信号Ｄｉｎに基づいて生成される映像信号（例えば、ＯＳＤ（Ｏｎ  Ｓｃｒｅｅｎ  Ｄｉｓｐｌａｙ）信号）を映像信号Ｄ０として、第１表示制御部１２に出力する。
【００２６】
第１表示制御部１２は、映像合成部１１から出力される映像信号Ｄ０と、主装置制御部１４から出力される制御信号ｃｔｌ０とを入力する。第１表示制御部１２は、制御信号ｃｔｌ０に基づいて、映像信号Ｄ０を、ＶＲＡＭ（ビデオＲＡＭ）等のメモリ（不図示）に書き込み、制御信号ｃｔｌ０に基づいて、当該メモリから、映像信号Ｄ１として読み出し、第１表示部１３に出力し、第１表示部１３に表示させる。第１表示制御部１２は、第１表示部１３に映像信号Ｄ１を表示させるために、例えば、映像信号Ｄ１と、第１表示部１３（例えば、高解像度液晶パネル）を駆動する駆動信号（例えば、ソース駆動信号およびゲート駆動信号）とを第１表示部１３に出力する。
【００２７】
また、第１表示制御部１２は、映像信号Ｄ１を調整部１５にも出力する。
【００２８】
第１表示部１３は、第１表示制御部１２から出力される映像信号Ｄ１および駆動信号を入力する。そして、第１表示部１３は、第１表示制御部１２からの駆動信号に基づいて、映像信号Ｄ１を、表示させる。第１表示部１３は、例えば、高解像度ディスプレイパネル（例えば、高解像度液晶パネル）である。
【００２９】
主装置制御部１４は、制御対象装置１の各機能部を制御する制御部である。主装置制御部１４は、第１表示制御部１２を制御するための制御信号ｃｔｌ０を生成し、生成した制御信号ｃｔｌ０を第１表示制御部１２に出力する。また、主装置制御部１４は、映像合成部１１を制御するための制御信号ｃｔｌ１を生成し、生成した制御信号ｃｔｌ１を映像合成部１１に出力する。
【００３０】
また、主装置制御部１４は、主装置側インターフェース部１６から出力される信号Ｄｐ２を入力することができる。この信号Ｄｐ２には、（１）リモートコントロール装置２の表示操作についての情報、（２）制御対象装置１の機器装置についての情報、および、（３）モード情報ｍｏｄｅが含まれている。主装置制御部１４は、入力された信号Ｄｐ２に基づいて、リモートコントロール装置２に表示させる映像を生成するための調整信号Ａｄｊを生成する。そして、主装置制御部１４は、生成した調整信号Ａｄｊを調整部１５に出力する。
【００３１】
調整部１５は、第１表示制御部１２から出力される映像信号Ｄ１と、主装置制御部１４から出力される調整信号Ａｄｊとを入力する。調整部１５は、調整信号Ａｄｊに基づいて、映像信号Ｄ１から、リモートコントロール装置２に表示させる映像領域（画像領域）を形成する調整後映像信号Ｄ２を取得する。そして、調整部１５は、取得した調整後映像信号Ｄ２と、調整後映像信号Ｄ２が形成する画像領域を特定するための座標情報ｚ１と、を主装置側インターフェース部１６に出力する。
【００３２】
主装置側インターフェース部１６は、図１に示すように、主装置側変調部１６１と、主装置側復調部１６２とを備える。主装置側インターフェース部１６は、リモートコントロール装置２とデータの送受信を行うためのインターフェースである。
【００３３】
主装置側変調部１６１は、調整部１５から出力される調整後映像信号Ｄ２と座標情報ｚ１とを入力とする。主装置側変調部１６１は、入力された調整後映像信号Ｄ２および座標情報ｚ１をリモートコントロール装置２に送信するために、リモートコントロール装置２への伝送に適した信号に変調を行う。例えば、制御対象装置１からリモートコントロール装置２に無線によりデータ送信を行う場合、主装置側変調部１６１は、調整後映像信号Ｄ２および座標情報ｚ１に対してＲＦ変調処理を行うことで、無線信号Ｒｏを生成し、生成した無線信号Ｒｏを、リモートコントロール装置２のコントローラ側インターフェース部２１に出力する。
【００３４】
主装置側復調部１６２は、リモートコントロール装置２から受信する無線信号Ｒｉを入力とする。主装置側復調部１６２は、受信した無線信号Ｒｉに対してＲＦ復調処理を行うことで、信号Ｄｐ２を取得する。そして、主装置側復調部１６２は、取得した信号Ｄｐ２を主装置制御部１４に出力する。
【００３５】
リモートコントロール装置２は、図１に示すように、コントローラ側インターフェース部２１と、第２表示制御部２２と、第２表示部２３と、タッチパネル制御部２４と、タッチパネル２５と、モード切替部２６と、を備える。
【００３６】
コントローラ側インターフェース部２１は、図１に示すように、コントローラ側復調部２１１と、コントローラ側変調部２１２とを備える。コントローラ側インターフェース部２１は、制御対象装置１とデータの送受信を行うためのインターフェースである。
【００３７】
コントローラ側復調部２１１は、制御対象装置１から受信する無線信号Ｒｏを入力とする。コントローラ側復調部２１１は、受信した無線信号Ｒｏに対してＲＦ復調処理を行うことで、映像信号Ｄ３（映像信号Ｄ２に相当する信号）および座標情報ｚ２（座標情報ｚ１に相当する信号）を取得する。そして、コントローラ側復調部２１１は、取得した映像信号Ｄ３および座標情報ｚ２を第２表示制御部２２に出力する。
【００３８】
コントローラ側変調部２１２は、タッチパネル制御部２４から出力される信号Ｄｐ１を入力とする。コントローラ側変調部２１２は、入力された信号Ｄｐ１を制御対象装置１に送信するために、制御対象装置１への伝送に適した信号に変調を行う。例えば、リモートコントロール装置２から制御対象装置１に無線によりデータ送信を行う場合、コントローラ側変調部２１２は、信号Ｄｐ１に対してＲＦ変調処理を行うことで、無線信号Ｒｉを生成し、生成した無線信号Ｒｉを、制御対象装置１の主装置側インターフェース部１６に出力する。
【００３９】
第２表示制御部２２は、コントローラ側インターフェース部２１のコントローラ側復調部２１１から出力される映像信号Ｄ３および座標情報ｚ２を入力とする。第２表示制御部２２は、入力された映像信号Ｄ２を第２表示部２３に表示させる。
【００４０】
第２表示制御部２２は、例えば、映像信号Ｄ３と、第２表示部２３（例えば、液晶パネル）を駆動する駆動信号（例えば、ソース駆動信号およびゲート駆動信号）とを第２表示部２３に出力する。
【００４１】
また、第２表示制御部２２は、座標情報ｚ２をタッチパネル制御部２４に出力する。
【００４２】
第２表示部２３は、第２表示制御部２２から出力される映像信号Ｄ３および駆動信号を入力する。そして、第２表示部２３は、第２表示制御部２２からの駆動信号に基づいて、映像信号Ｄ３を、表示させる。第２表示部２３は、例えば、表示パネル（例えば、液晶パネル）である。
【００４３】
タッチパネル制御部２４は、タッチパネル２５上の電界変化を示す信号を入力する。また、タッチパネル制御部２４は、第２表示制御部２２から出力される座標情報ｚ２と、モード切替部２６から出力されるモード情報ｍｏｄｅを入力する。
【００４４】
タッチパネル制御部２４は、タッチパネル２５上の電界変化を示す信号から、タッチ数、タッチ位置等を検出し、検出結果を示す情報を含む信号Ｄｐ１を生成し、コントローラ側インターフェース部２１に出力する。なお、タッチパネル制御部２４は、モード情報ｍｏｄｅが示すモードが「表示操作モード」である場合に、生成した信号Ｄｐ１をコントローラ側インターフェース部２１に出力する。モード情報ｍｏｄｅが示す操作モードには、（１）機器操作モードと、（２）表示操作モードとがある（詳細については後述）。
【００４５】
タッチパネル２５は、例えば、静電容量式のタッチパネルであり、タッチパネル制御部２４により駆動される。そして、タッチパネル２５上において、指等でタッチされた場合の電界変化に対応する信号を、タッチパネル制御部２４に出力する。
【００４６】
モード切替部２６は、（１）機器操作モードと、（２）表示操作モードとを切り替えるための機能部である。そして、モード切替部２６は、切り替えられた（設定された）モードを示す情報（モード情報）ｍｏｄｅを、タッチパネル制御部２４に出力する。
【００４７】
＜１．２：制御システムの動作＞
以上のように構成された制御システム１０００の動作について、以下、説明する。
【００４８】
以下では、「表示操作モード」における制御システム１０００の動作と、「機器操作モード」における制御システム１０００の動作とに分けて、説明する。
【００４９】
（１．２．１：表示操作モード）
まず、「表示操作モード」における制御システム１０００の動作について、説明する。
【００５０】
「表示操作モード」では、（Ａ１）絶対位置座標による表示位置変更処理、（Ａ２）相対位置座標による表示位置変更処理、（Ｂ）表示拡大率変更処理、および、（Ｃ）表示角度変更処理を実行することができる。以下では、これらの処理について、説明する。
【００５１】
≪Ａ１：絶対位置座標による表示位置変更処理≫
まず、絶対位置座標による表示位置変更処理について、説明する。
【００５２】
図２は、絶対位置座標による表示位置変更処理について説明するための図である。具体的には、図２は、制御対象装置１と、リモートコントロール装置２とを模式的に示した図であり、制御対象装置１の第１表示部１３に、番組表を表示させた状態を示している。また、図２は、リモートコントロール装置２の第２表示部２３に、第１表示部１３の領域ＡＲ１を拡大表示させている状態を示している。
【００５３】
なお、図２に示すように、Ｘ軸およびＹ軸を設定するものとする。そして、図２に示すように、制御対象装置１の第１表示部１３の表示画面の領域は、Ｘ座標において、最小値がＸｍｉｎ（１）であり、最大値がＸｍａｘ（１）であり、Ｙ座標において、最小値がＹｍｉｎ（１）であり、最大値がＹｍａｘ（１）であるものとする。
【００５４】
また、図２に示すように、リモートコントロール装置２の第２表示部２３の表示画面の領域は、Ｘ座標において、最小値がＸｍｉｎ（２）であり、最大値がＸｍａｘ（２）であり、Ｙ座標において、最小値がＹｍｉｎ（２）であり、最大値がＹｍａｘ（２）であるものとする。
【００５５】
図２の状態において、ユーザーが、リモートコントロール装置２のボタンＢｔｎ１を押下することで、「表示操作モード」に設定される。例えば、ボタンＢｔｎ１を押下することで、トグル動作により、「表示操作モード」と「機器操作モード」とが切り替えられる。なお、設定されたモードを、第２表示部２３、および／または、第１表示部１３に表示するようにしてもよい。
【００５６】
表示操作モードに設定されている状態において、ユーザーが、リモートコントロール装置２の第２表示部２３の表示画面の１点をタッチすると、制御対象装置１の第１表示部１３の表示画面における当該タッチ位置に相当する位置を中心とする画像を、リモートコントロール装置２の第２表示部２３に表示させることができる。
【００５７】
例えば、図２において、ユーザーが、リモートコントロール装置２の第２表示部２３のＰ１（２）点を、１点によりタッチすると、リモートコントロール装置２の第２表示部２３に表示されていた表示は、第１表示部１３の領域ＡＲ１から、第１表示部１３の点Ｐ１（１）を中心とする領域の表示へと更新させることができる。
【００５８】
つまり、リモートコントロール装置２の第２表示部２３の表示画面全体に設定された座標平面が、制御対象装置１の第１表示部１３の表示画面全体に設定された座標平面に対応付けた場合に、第２表示部２３の表示画面（座標平面）上のＰ１（２）点に相当する、第１表示部１３の表示画面（座標平面）上の点Ｐ１（１）点を中心とする領域の表示へと更新させることができる。なお、第１表示部１３の表示画面全体に設定された座標平面における点Ｐ１（１）の座標を（Ｘ２（１），Ｙ２（１））とし、第２表示部２３の表示画面全体に設定された座標平面における点Ｐ１（２）の座標を（Ｘ２（２），Ｙ２（２））とすると、
（Ｘ２（１）−Ｘｍｉｎ（１））／（Ｘｍａｘ（１）−Ｘｍｉｎ（１））
＝（Ｘ２（２）−Ｘｍｉｎ（２））／（Ｘｍａｘ（２）−Ｘｍｉｎ（２））
であり、かつ、
（Ｙ２（１）−Ｙｍｉｎ（１））／（Ｙｍａｘ（１）−Ｙｍｉｎ（１））
＝（Ｙ２（２）−Ｙｍｉｎ（２））／（Ｙｍａｘ（２）−Ｙｍｉｎ（２））
である。
【００５９】
図３は、上記操作後の制御対象装置１と、リモートコントロール装置２との状態を示す図である。
【００６０】
図３に示すように、リモートコントロール装置２の第２表示部２３には、制御対象装置１の第１表示部１３の領域ＡＲ２が表示されている。
【００６１】
上記操作を行った場合における制御システム１０００の動作について、図１を参照しながら説明する。
【００６２】
映像合成部１１では、番組表に関するデータＤｉｎが入力され、主装置制御部１４からの制御信号ｃｔｌ１により、番組表に関するデータＤｉｎに基づいて、番組表を表示する映像信号Ｄ０が生成される。そして、生成された映像信号Ｄ０は、第１表示制御部１２に出力される。
【００６３】
第１表示制御部１２は、映像信号Ｄ０を第１表示部１３に表示させるように、第１表示部１３を駆動制御する。
【００６４】
調整部１５では、主装置制御部１４から出力される調整信号Ａｄｊに基づいて、図２の領域ＡＲ１を形成する映像信号Ｄ２が生成される。
【００６５】
また、調整部１５は、領域ＡＲ１の座標情報ｚ１として、図２に示すように設定されたＸＹ座標平面における座標情報を取得する。調整部１５は、例えば、領域ＡＲ１の左上端点の座標情報（Ｘ０（１），Ｙ０（１））と、領域ＡＲ１の右下端点の座標情報（Ｘ１（１），Ｙ１（１））とを、リモートコントロール装置２の第２表示部２３に表示させる領域ＡＲ１についての座標情報ｚ１として取得する。
【００６６】
調整部１５は、上記のように取得した、図２の領域ＡＲ１を形成する映像信号Ｄ２と、領域ＡＲ１についての座標情報ｚ１とを主装置側インターフェース部１６の主装置側変調部１６１に出力する。
【００６７】
主装置側変調部１６１では、入力された映像信号Ｄ２と座標情報ｚ１とに対して、ＲＦ変調処理が実行され、無線信号Ｒｏが生成される。そして、生成された無線信号Ｒｏは、主装置側変調部１６１からコントローラ側インターフェース部２１に出力される。
【００６８】
コントローラ側インターフェース部２１のコントローラ側復調部２１１は、無線信号Ｒｏを受信し、ＲＦ復調処理を実行し、映像信号Ｄ３（領域ＡＲ１を形成する映像信号Ｄ２に相当する信号）および座標情報ｚ２（領域ＡＲ１の座標情報ｚ１に相当する信号）を取得する。そして、コントローラ側復調部２１１は、取得した映像信号Ｄ３および座標情報ｚ２を第２表示制御部２２に出力する。
【００６９】
第２表示制御部２２では、領域ＡＲ１を形成する映像信号Ｄ２が、第２表示部２３に表示されるように、第２表示部２３を駆動制御する。これにより、図２に示すように、第２表示部２３に、領域ＡＲ１と同じ画像（映像）が表示される。
【００７０】
また、第２表示制御部２２は、領域ＡＲ１についての座標情報ｚ２をタッチパネル制御部２４に出力する。
【００７１】
モード切替部２６は、ユーザーにより、図２に示すボタンＢｔｎ１が押下されることにより、「表示操作モード」に設定されると、「表示操作モード」に設定されていることを示すモード情報ｍｏｄｅを生成し、生成したモード情報ｍｏｄｅをタッチパネル制御部２４に出力する。
【００７２】
タッチパネル２５上において、図２に示す点Ｐ１（２）の位置を１点でユーザーがタッチした場合、タッチパネル制御部２４は、タッチパネル２５から出力される信号（タッチパネル２５上の電界変化を示す信号）に基づいて、タッチされているのが１点であることを認識し、タッチ点の座標位置を検出する。図２の場合では、タッチ点の座標位置（Ｘ２（２），Ｙ２（２））が、タッチ点の座標情報として取得される。
【００７３】
タッチパネル制御部２４は、上記検出結果、すなわち、（１）タッチされているのが１点であること、および、（２）タッチ点の座標位置（Ｘ２（２），Ｙ２（２））についての情報を含めた信号Ｄｐ１を生成する。そして、タッチパネル制御部２４は、生成した信号Ｄｐ１を、コントローラ側変調部２１２に出力する。
【００７４】
コントローラ側変調部２１２では、信号Ｄｐ１に対してＲＦ変調処理が実行され、無線信号Ｒｉが生成される。そして、生成された無線信号Ｒｉは、コントローラ側変調部２１２から主装置側復調部１６２に送信される。
【００７５】
主装置側復調部１６２では、受信した無線信号ＲｉがＲＦ復調され、信号Ｄｐ１に相当する信号Ｄｐ２が取得される。そして、取得された信号Ｄｐ２は、主装置制御部１４に出力される。
【００７６】
主装置制御部１４は、信号Ｄｐ２から、リモートコントロール装置２のタッチパネル２５において、（１）タッチされているのが１点であること、および、（２）タッチ点の座標位置（Ｘ２（２），Ｙ２（２））であることを認識する。
【００７７】
そして、主装置制御部１４は、タッチされているのが１点である場合、絶対位置座標による表示位置変更処理（移動処理）を実行する。これについて、図４を用いて説明する。
【００７８】
図４は、絶対位置座標について、説明するための図である。
【００７９】
図４に示すように、絶対位置座標による表示位置変更処理（移動処理）を実行する場合、制御対象装置１の第１表示部１３の表示画面全体に設定される座標全体を、リモートコントロール装置２の第２表示部２３の表示画面全体に設定される座標全体に対応付ける。
【００８０】
つまり、図４に示すように、制御対象装置１の第１表示部１３の表示画面に左上端点の座標（Ｘｍｉｎ（１），Ｙｍｉｎ（１））を、リモートコントロール装置２の第２表示部２３の表示画面に左上端点の座標（Ｘｍｉｎ（２），Ｙｍｉｎ（２））に対応付け、制御対象装置１の第１表示部１３の表示画面に右下端点の座標（Ｘｍａｘ（１），Ｙｍａｘ（１））を、リモートコントロール装置２の第２表示部２３の表示画面に右下端点の座標（Ｘｍａｘ（２），Ｙｍａｘ（２））に対応付ける。このように、制御対象装置１の第１表示部１３の表示画面全体に設定した座標平面と、リモートコントロール装置２の第２表示部２３の表示画面全体とを１：１に対応付けることで規定される座標を、「絶対位置座標」という。つまり、絶対位置座標により規定される、制御対象装置１の第１表示部１３の表示画面全体に設定される座標平面は、（Ｘｍｉｎ（１），Ｙｍｉｎ（１））−（Ｘｍａｘ（１），Ｙｍａｘ（１））の矩形領域を有する平面である。そして、絶対位置座標により規定される、リモートコントロール装置２の第２表示部２３の表示画面全体に設定される座標平面は、（Ｘｍｉｎ（２），Ｙｍｉｎ（２））−（Ｘｍａｘ（２），Ｙｍａｘ（２））の矩形領域を有する平面である。
【００８１】
なお、「（ｘ１，ｙ１）−（ｘ２，ｙ２）の矩形領域」との表記は、左上端点を（ｘ１，ｙ１）とし、右下端点を（ｘ２，ｙ２）とする矩形の領域を示す（以下、同様）。
【００８２】
主装置制御部１４は、信号Ｄｐ２により、リモートコントロール装置２のタッチパネル２５において、タッチされているのが１点であると判定した場合、絶対位置座標による表示位置変更処理（移動処理）を実行する。すなわち、図２の場合、上記のように設定した絶対位置座標では、第２表示部２３の点Ｐ１（２）の座標（Ｘ２（２），Ｙ２（２））は、第１表示部１３の点Ｐ１（１）の座標（Ｘ２（１），Ｙ２（１））に対応する。
【００８３】
したがって、主装置制御部１４は、図２の場合、第１表示部１３の点Ｐ１（１）を中心とする領域ＡＲ２（図３に示す領域ＡＲ２）が、リモートコントロール装置２の第２表示部２３に表示されるように調整信号Ａｄｊを生成する。そして、主装置制御部１４は、生成した調整信号Ａｄｊを調整部１５に出力する。
【００８４】
調整部１５は、主装置制御部１４からの調整信号Ａｄｊに基づいて、映像信号Ｄ１から、領域ＡＲ２を形成する映像信号Ｄ２を生成し、生成した映像信号Ｄ２を主装置側インターフェース部１６に出力する。また、調整部１５は、主装置制御部１４からの調整信号Ａｄｊに基づいて、領域ＡＲ２についての座標情報ｚ１を生成し、生成した座標情報ｚ１を主装置側インターフェース部１６に出力する。
【００８５】
以降の処理については、上記で、領域ＡＲ１を表示させる場合の処理と同様である。
【００８６】
以上の処理により、リモートコントロール装置２の第２表示部２３に、図３に示すように、領域ＡＲ２の画像が表示されるようになる。
【００８７】
このように、制御システム１０００では、リモートコントロール装置２の第２表示画面を１点によりタッチすることで、絶対位置座標による表示位置変更処理（移動処理）を行うことができる。
【００８８】
≪Ａ２：相対位置座標による表示位置変更処理≫
次に、相対位置座標による表示位置変更処理について、説明する。
【００８９】
図５は、相対位置座標による表示位置変更処理について説明するための図である。具体的には、図５は、制御対象装置１と、リモートコントロール装置２とを模式的に示した図であり、制御対象装置１の第１表示部１３に、番組表を表示させた状態を示している。また、図５は、リモートコントロール装置２の第２表示部２３に、第１表示部１３の領域ＡＲ１を拡大表示させている状態を示している。
【００９０】
なお、図５に示すように、Ｘ軸およびＹ軸を設定するものとする。そして、図５に示すように、制御対象装置１の第１表示部１３の表示画面の領域は、Ｘ座標において、最小値がＸｍｉｎ（１）であり、最大値がＸｍａｘ（１）であり、Ｙ座標において、最小値がＹｍｉｎ（１）であり、最大値がＹｍａｘ（１）であるものとする。
【００９１】
また、図５に示すように、リモートコントロール装置２の第２表示部２３の表示画面の領域は、Ｘ座標において、最小値がＸｍｉｎ（２）であり、最大値がＸｍａｘ（２）であり、Ｙ座標において、最小値がＹｍｉｎ（２）であり、最大値がＹｍａｘ（２）であるものとする。
【００９２】
図５の状態において、ユーザーが、リモートコントロール装置２のボタンＢｔｎ１を押下することで、「表示操作モード」に設定される。
【００９３】
表示操作モードに設定されている状態において、ユーザーが、リモートコントロール装置２の第２表示部２３の表示画面の２点をタッチしながら、任意の方向Ｄｉｒ１にずらすと、制御対象装置１の第１表示部１３の表示画面において、ずらした方向Ｄｉｒ１の逆方向に存在する画像を、リモートコントロール装置２の第２表示部２３に表示させることができる。
【００９４】
例えば、図５において、ユーザーが、リモートコントロール装置２の第２表示部２３のＰ２（２）点およびＰ３（２）点の２点をタッチしながら、矢印Ｄｉｒ１で示す方向にずらすと、リモートコントロール装置２の第２表示部２３に表示されていた表示は、第１表示部１３の領域ＡＲ１から、第１表示部１３の領域ＡＲ３の表示へと更新させることができる。
【００９５】
図６は、上記操作後の制御対象装置１と、リモートコントロール装置２との状態を示す図である。
【００９６】
図６に示すように、リモートコントロール装置２の第２表示部２３には、制御対象装置１の第１表示部１３の領域ＡＲ３が表示されている。
【００９７】
上記操作を行った場合における制御システム１０００の動作について、図１を参照しながら説明する。
【００９８】
なお、上記「Ａ１：絶対位置座標による表示位置変更処理」と同様の処理については、説明を省略する。
【００９９】
タッチパネル２５上において、図５に示す点Ｐ２（２）および点Ｐ３（２）の２点を、ユーザーがタッチした場合、タッチパネル制御部２４は、タッチパネル２５から出力される信号（タッチパネル２５上の電界変化を示す信号）に基づいて、タッチされているのが２点であることを認識し、タッチ点の座標位置を検出する。図５の場合では、タッチ点Ｐ２（２）の座標位置およびタッチ点Ｐ３（２）の座標位置が座標情報として取得される。
【０１００】
タッチパネル制御部２４は、上記検出結果、すなわち、（１）タッチされているのが２点であること、および、（２）２つのタッチ点の座標位置についての情報を含めた信号Ｄｐ１を生成する。そして、タッチパネル制御部２４は、生成した信号Ｄｐ１を、コントローラ側変調部２１２に出力する。
【０１０１】
コントローラ側変調部２１２では、信号Ｄｐ１に対してＲＦ変調処理が実行され、無線信号Ｒｉが生成される。そして、生成された無線信号Ｒｉは、コントローラ側変調部２１２から主装置側復調部１６２に送信される。
【０１０２】
主装置側復調部１６２では、受信した無線信号ＲｉがＲＦ復調され、信号Ｄｐ１に相当する信号Ｄｐ２が取得される。そして、取得された信号Ｄｐ２は、主装置制御部１４に出力される。
【０１０３】
主装置制御部１４は、信号Ｄｐ２から、リモートコントロール装置２のタッチパネル２５において、（１）タッチされているのが２点であること、および、（２）２つのタッチ点の座標位置を認識する。
【０１０４】
さらに、主装置制御部１４は、上記処理により、所定の時間内に連続して取得される信号Ｄｐ２から、タッチパネル２５上において、点Ｐ２（２）および点Ｐ３（２）の２つのタッチ点が、タッチされた状態で方向Ｄｉｒ１にずらされていることを認識する。また、所定の時間内におけるタッチ点の移動距離から、タッチ点の移動速度を算出する。
【０１０５】
主装置制御部１４は、２つのタッチ点が、タッチパネル２５からリリースされたことを確認するまで、上記処理を繰り返し、２つのタッチ点の移動距離を算出する。そして、算出した２つのタッチ点の移動距離に基づいて、第２表示部２３において、新たに表示させるための領域を決定する。図５の場合、この新たに表示させるための領域が領域ＡＲ３であるものとする。
【０１０６】
このように、主装置制御部１４は、タッチされているのが２点である場合、相対位置座標による表示位置変更処理（移動処理）を実行する。これについて、図７を用いて説明する。
【０１０７】
図７は、相対位置座標について、説明するための図である。
【０１０８】
図７に示すように、相対位置座標による表示位置変更処理（移動処理）を実行する場合、制御対象装置１の第１表示部１３の表示画面の一部の領域に設定される座標全体を、リモートコントロール装置２の第２表示部２３の表示画面全体に設定される座標全体に対応付ける。
【０１０９】
つまり、図７に示すように、制御対象装置１の第１表示部１３の表示画面の一部の領域の左上端点の座標（Ｘｍｉｎ＿ｒ（１），Ｙｍｉｎ＿ｒ（１））を、リモートコントロール装置２の第２表示部２３の表示画面に左上端点の座標（Ｘｍｉｎ（２），Ｙｍｉｎ（２））に対応付け、制御対象装置１の第１表示部１３の表示画面の一部の領域の右下端点の座標（Ｘｍａｘ＿ｒ（１），Ｙｍａｘ＿ｒ（１））を、リモートコントロール装置２の第２表示部２３の表示画面に右下端点の座標（Ｘｍａｘ（２），Ｙｍａｘ（２））に対応付ける。
【０１１０】
主装置制御部１４は、信号Ｄｐ２により、リモートコントロール装置２のタッチパネル２５において、タッチされているのが２点であると判定した場合、当該２点の移動距離に基づいて、相対位置座標による表示位置変更処理（移動処理）を実行する。すなわち、図５の場合、上記のように設定した相対位置座標では、第２表示部２３の点Ｐ２（２）および点Ｐ３（２）が方向Ｄｉｒ１にずらされているので、主装置制御部１４は、第２表示部２３の表示が、領域ＡＲ１の表示から領域ＡＲ３の表示に更新されるように、調整信号Ａｄｊを生成する。なお、第２表示部２３の点Ｐ２（２）および点Ｐ３（２）の方向Ｄｉｒ１の移動距離が、領域ＡＲ１と領域ＡＲ２との間の距離に対応するものとする。
【０１１１】
そして、主装置制御部１４は、生成した調整信号Ａｄｊを調整部１５に出力する。
【０１１２】
調整部１５は、主装置制御部１４からの調整信号Ａｄｊに基づいて、映像信号Ｄ１から、領域ＡＲ３を形成する映像信号Ｄ２を生成し、生成した映像信号Ｄ２を主装置側インターフェース部１６に出力する。また、調整部１５は、主装置制御部１４からの調整信号Ａｄｊに基づいて、領域ＡＲ３についての座標情報ｚ１を生成し、生成した座標情報ｚ１を主装置側インターフェース部１６に出力する。
【０１１３】
以降の処理については、上記で、領域ＡＲ１を表示させる場合の処理と同様である。
【０１１４】
以上の処理により、リモートコントロール装置２の第２表示部２３に、図６に示すように、領域ＡＲ３の画像が表示されるようになる。
【０１１５】
このように、制御システム１０００では、リモートコントロール装置２の第２表示画面を２点によりタッチしながら、所定の方向にずらすことで、相対位置座標による表示位置変更処理（移動処理）を行うことができる。
【０１１６】
≪Ｂ：表示拡大率変更処理≫
次に、表示拡大率変更処理について、説明する。
【０１１７】
図８は、表示拡大率変更処理について説明するための図である。具体的には、図８は、制御対象装置１と、リモートコントロール装置２とを模式的に示した図であり、制御対象装置１の第１表示部１３に、番組表を表示させた状態を示している。また、図８は、リモートコントロール装置２の第２表示部２３に、第１表示部１３の領域ＡＲ１を拡大表示させている状態を示している。
【０１１８】
なお、図８に示すように、Ｘ軸およびＹ軸を設定するものとする。そして、図８に示すように、制御対象装置１の第１表示部１３の表示画面の領域は、Ｘ座標において、最小値がＸｍｉｎ（１）であり、最大値がＸｍａｘ（１）であり、Ｙ座標において、最小値がＹｍｉｎ（１）であり、最大値がＹｍａｘ（１）であるものとする。
【０１１９】
また、図８に示すように、リモートコントロール装置２の第２表示部２３の表示画面の領域は、Ｘ座標において、最小値がＸｍｉｎ（２）であり、最大値がＸｍａｘ（２）であり、Ｙ座標において、最小値がＹｍｉｎ（２）であり、最大値がＹｍａｘ（２）であるものとする。
【０１２０】
図８の状態において、ユーザーが、リモートコントロール装置２のボタンＢｔｎ１を押下することで、「表示操作モード」に設定される。
【０１２１】
表示操作モードに設定されている状態において、ユーザーが、リモートコントロール装置２の第２表示部２３の表示画面の２点をタッチしながら、タッチした２点間の距離を変更することで、制御対象装置１の第１表示部１３の表示画面における表示拡大率を変更することができる。なお、表示倍率を変更するときの中心点は、タッチした２点間の中点である。
【０１２２】
例えば、図８において、ユーザーが、リモートコントロール装置２の第２表示部２３のＰ４（２）点およびＰ５（２）点の２点をタッチしながら、当該２点間の距離が大きくなるように点Ｐ４（２）を矢印Ｄｉｒ２の方向にずらすと同時に、点Ｐ５（２）を矢印Ｄｉｒ３の方向にずらすと、リモートコントロール装置２の第２表示部２３に表示されていた画像の表示拡大率を変更することができる。このとき、表示倍率を変更するときの中心点は、タッチした２点間の中点Ｐ６（２）である。
【０１２３】
図９は、上記操作後の制御対象装置１と、リモートコントロール装置２との状態を示す図である。
【０１２４】
図９に示すように、リモートコントロール装置２の第２表示部２３には、制御対象装置１の第１表示部１３の領域ＡＲ４が表示されている。
【０１２５】
上記操作を行った場合における制御システム１０００の動作について、図１を参照しながら説明する。
【０１２６】
なお、上記「Ａ１：絶対位置座標による表示位置変更処理」と同様の処理については、説明を省略する。
【０１２７】
タッチパネル２５上において、図８に示す点Ｐ４（２）および点Ｐ５（２）の２点を、ユーザーがタッチした場合、タッチパネル制御部２４は、タッチパネル２５から出力される信号（タッチパネル２５上の電界変化を示す信号）に基づいて、タッチされているのが２点であることを認識し、タッチ点の座標位置を検出する。図８の場合では、タッチ点Ｐ４（２）の座標位置およびタッチ点Ｐ５（２）の座標位置が座標情報として取得される。
【０１２８】
タッチパネル制御部２４は、上記検出結果、すなわち、（１）タッチされているのが２点であること、および、（２）２つのタッチ点の座標位置についての情報を含めた信号Ｄｐ１を生成する。そして、タッチパネル制御部２４は、生成した信号Ｄｐ１を、コントローラ側変調部２１２に出力する。
【０１２９】
コントローラ側変調部２１２では、信号Ｄｐ１に対してＲＦ変調処理が実行され、無線信号Ｒｉが生成される。そして、生成された無線信号Ｒｉは、コントローラ側変調部２１２から主装置側復調部１６２に送信される。
【０１３０】
主装置側復調部１６２では、受信した無線信号ＲｉがＲＦ復調され、信号Ｄｐ１に相当する信号Ｄｐ２が取得される。そして、取得された信号Ｄｐ２は、主装置制御部１４に出力される。
【０１３１】
主装置制御部１４は、信号Ｄｐ２から、リモートコントロール装置２のタッチパネル２５において、（１）タッチされているのが２点であること、および、（２）２つのタッチ点の座標位置を認識する。
【０１３２】
さらに、主装置制御部１４は、上記処理により、所定の時間内に連続して取得される信号Ｄｐ２から、タッチパネル２５上において、点Ｐ４（２）および点Ｐ５（２）の２つのタッチ点が、タッチされた状態で、２つのタッチ点の間の距離が変化していることを認識する。また、所定の時間内における２つのタッチ点の間の移動の変化量から、タッチ点の移動速度を算出する。
【０１３３】
主装置制御部１４は、２つのタッチ点が、タッチパネル２５からリリースされたことを確認するまで、上記処理を繰り返し、２つのタッチ点の移動距離を算出する。そして、算出した２つのタッチ点の移動距離に基づいて、表示拡大率を決定し、第２表示部２３において、新たに表示させるための領域を決定する。図８の場合、この新たに表示させるための領域が、図９の領域ＡＲ４であるものとする。
【０１３４】
このように、主装置制御部１４は、タッチされているのが２点であり、当該２点の距離が変更されている場合、相対位置座標による表示拡大率変更処理を実行する。つまり、図８、図９の場合、表示拡大率変更処理が実行される前は、領域ＡＲ１（（Ｘ０（１），Ｙ０（１））−（Ｘ１（１），Ｙ１（１））の領域）が、第２表示部２３の画面全体の領域（（Ｘｍｉｎ（２），Ｙｍｉｎ（２））−（Ｘｍａｘ（２），Ｙｍａｘ（２））の領域）に設定されている。そして、表示拡大率変更処理が実行された後は、領域ＡＲ４（（Ｘ５（１），Ｙ５（１））−（Ｘ６（１），Ｙ６（１））の領域）が、第２表示部２３の画面全体の領域（（Ｘｍｉｎ（２），Ｙｍｉｎ（２））−（Ｘｍａｘ（２），Ｙｍａｘ（２））の領域）に設定されている。
【０１３５】
主装置制御部１４は、信号Ｄｐ２により、リモートコントロール装置２のタッチパネル２５において、タッチされているのが２点であると判定した場合、当該２点間の距離の変化量に基づいて、相対位置座標による表示拡大率変更処理を実行する。すなわち、図８、図９の場合、主装置制御部１４は、第２表示部２３の表示が、領域ＡＲ１の表示から領域ＡＲ４の表示に更新されるように、調整信号Ａｄｊを生成する。
【０１３６】
そして、主装置制御部１４は、生成した調整信号Ａｄｊを調整部１５に出力する。
【０１３７】
調整部１５は、主装置制御部１４からの調整信号Ａｄｊに基づいて、映像信号Ｄ１から、領域ＡＲ４を形成する映像信号Ｄ２を生成し、生成した映像信号Ｄ２を主装置側インターフェース部１６に出力する。また、調整部１５は、主装置制御部１４からの調整信号Ａｄｊに基づいて、領域ＡＲ４についての座標情報ｚ１を生成し、生成した座標情報ｚ１を主装置側インターフェース部１６に出力する。
【０１３８】
以降の処理については、上記で、領域ＡＲ１を表示させる場合の処理と同様である。
【０１３９】
以上の処理により、リモートコントロール装置２の第２表示部２３に、図９に示すように、領域ＡＲ４の画像が表示されるようになる。
【０１４０】
このように、制御システム１０００では、リモートコントロール装置２の第２表示画面を２点によりタッチしながら、タッチされている２点の距離が変化することで、表示拡大率変更処理を行うことができる。
【０１４１】
≪Ｃ：表示角度変更処理≫
次に、表示角度変更処理について、説明する。
【０１４２】
図１０は、表示角度変更処理について説明するための図である。具体的には、図１０は、制御対象装置１と、リモートコントロール装置２とを模式的に示した図であり、制御対象装置１の第１表示部１３に、番組表を表示させた状態を示している。また、図１０は、リモートコントロール装置２の第２表示部２３に、第１表示部１３の領域ＡＲ１を拡大表示させている状態を示している。
【０１４３】
なお、図１０に示すように、Ｘ軸およびＹ軸を設定するものとする。そして、図１０に示すように、制御対象装置１の第１表示部１３の表示画面の領域は、Ｘ座標において、最小値がＸｍｉｎ（１）であり、最大値がＸｍａｘ（１）であり、Ｙ座標において、最小値がＹｍｉｎ（１）であり、最大値がＹｍａｘ（１）であるものとする。
【０１４４】
また、図１０に示すように、リモートコントロール装置２の第２表示部２３の表示画面の領域は、Ｘ座標において、最小値がＸｍｉｎ（２）であり、最大値がＸｍａｘ（２）であり、Ｙ座標において、最小値がＹｍｉｎ（２）であり、最大値がＹｍａｘ（２）であるものとする。
【０１４５】
図１０の状態において、ユーザーが、リモートコントロール装置２のボタンＢｔｎ１を押下することで、「表示操作モード」に設定される。
【０１４６】
表示操作モードに設定されている状態において、ユーザーが、リモートコントロール装置２の第２表示部２３の表示画面の２点をタッチしながら、所定の回転方向にずらすことで、制御対象装置１の第１表示部１３の表示画面における表示角度を変更することができる。なお、表示角度を変更するときの中心点は、変更しないようにしてもよい。
【０１４７】
例えば、図１０において、ユーザーが、リモートコントロール装置２の第２表示部２３のＰ７（２）点およびＰ８（２）点の２点をタッチしながら、時計方向（矢印Ｄｉｒ４および矢印Ｄｉｒ５の方向）にずらすと、リモートコントロール装置２の第２表示部２３に表示されていた画像の表示角度を変更することができる。このとき、表示角度を変更するときの中心点は、変更しない。
【０１４８】
図１１は、上記操作後の制御対象装置１と、リモートコントロール装置２との状態を示す図である。
【０１４９】
図１１に示すように、リモートコントロール装置２の第２表示部２３には、制御対象装置１の第１表示部１３の領域ＡＲ５が表示されている。
【０１５０】
上記操作を行った場合における制御システム１０００の動作について、図１を参照しながら説明する。
【０１５１】
なお、上記「Ａ１：絶対位置座標による表示位置変更処理」と同様の処理については、説明を省略する。
【０１５２】
タッチパネル２５上において、図１０に示す点Ｐ７（２）および点Ｐ８（２）の２点を、ユーザーがタッチした場合、タッチパネル制御部２４は、タッチパネル２５から出力される信号（タッチパネル２５上の電界変化を示す信号）に基づいて、タッチされているのが２点であることを認識し、タッチ点の座標位置を検出する。図１０の場合では、タッチ点Ｐ７（２）の座標位置およびタッチ点Ｐ８（２）の座標位置が座標情報として取得される。
【０１５３】
タッチパネル制御部２４は、上記検出結果、すなわち、（１）タッチされているのが２点であること、および、（２）２つのタッチ点の座標位置についての情報を含めた信号Ｄｐ１を生成する。そして、タッチパネル制御部２４は、生成した信号Ｄｐ１を、コントローラ側変調部２１２に出力する。
【０１５４】
コントローラ側変調部２１２では、信号Ｄｐ１に対してＲＦ変調処理が実行され、無線信号Ｒｉが生成される。そして、生成された無線信号Ｒｉは、コントローラ側変調部２１２から主装置側復調部１６２に送信される。
【０１５５】
主装置側復調部１６２では、受信した無線信号ＲｉがＲＦ復調され、信号Ｄｐ１に相当する信号Ｄｐ２が取得される。そして、取得された信号Ｄｐ２は、主装置制御部１４に出力される。
【０１５６】
主装置制御部１４は、信号Ｄｐ２から、リモートコントロール装置２のタッチパネル２５において、（１）タッチされているのが２点であること、および、（２）２つのタッチ点の座標位置を認識する。
【０１５７】
さらに、主装置制御部１４は、上記処理により、所定の時間内に連続して取得される信号Ｄｐ２から、タッチパネル２５上において、点Ｐ７（２）および点Ｐ８（２）の２つのタッチ点が、タッチされた状態で、所定の回転方向にずらされていることを認識する。
【０１５８】
主装置制御部１４は、２つのタッチ点が、タッチパネル２５からリリースされたことを確認するまで、上記処理を繰り返し、２つのタッチ点の回転方向を検出する。そして、検出した回転方向に基づいて、表示角度を決定し、第２表示部２３において、新たに表示させるための領域を決定する。図１０の場合、この新たに表示させるための領域が、図１１の領域ＡＲ５であるものとする。
【０１５９】
このように、主装置制御部１４は、タッチされているのが２点であり、当該２点が所定の回転方向にずらされている場合、相対位置座標による表示拡大率変更処理を実行する。つまり、図１０、図１１の場合、表示角度変更処理が実行される前は、領域ＡＲ１（（Ｘ０（１），Ｙ０（１））−（Ｘ１（１），Ｙ１（１））の領域）が、第２表示部２３の画面全体の領域（（Ｘｍｉｎ（２），Ｙｍｉｎ（２））−（Ｘｍａｘ（２），Ｙｍａｘ（２））の領域）に設定されている。そして、表示角度変更処理が実行された後は、領域ＡＲ５（（Ｘ７（１），Ｙ７（１））−（Ｘ８（１），Ｙ８（１））の領域）が、第２表示部２３の画面全体の領域（（Ｘｍｉｎ（２），Ｙｍｉｎ（２））−（Ｘｍａｘ（２），Ｙｍａｘ（２））の領域）に設定されている。
【０１６０】
主装置制御部１４は、信号Ｄｐ２により、リモートコントロール装置２のタッチパネル２５において、タッチされているのが２点であると判定した場合、当該２点の回転方向に基づいて、相対位置座標による表示角度変更処理を実行する。すなわち、図１０、図１１の場合、主装置制御部１４は、第２表示部２３の表示が、領域ＡＲ１の表示から領域ＡＲ５（領域ＡＲ１を、タッチされている２点の回転方向（図１０、図１１の場合、時計方向）の逆方向（図１０、図１１の場合、反時計方向）に回転させた位置に存在する領域ＡＲ５）の表示に更新されるように、調整信号Ａｄｊを生成する。
【０１６１】
そして、主装置制御部１４は、生成した調整信号Ａｄｊを調整部１５に出力する。
【０１６２】
調整部１５は、主装置制御部１４からの調整信号Ａｄｊに基づいて、映像信号Ｄ１から、領域ＡＲ５を形成する映像信号Ｄ２を生成し、生成した映像信号Ｄ２を主装置側インターフェース部１６に出力する。また、調整部１５は、主装置制御部１４からの調整信号Ａｄｊに基づいて、領域ＡＲ５についての座標情報ｚ１を生成し、生成した座標情報ｚ１を主装置側インターフェース部１６に出力する。
【０１６３】
以降の処理については、上記で、領域ＡＲ１を表示させる場合の処理と同様である。
【０１６４】
以上の処理により、リモートコントロール装置２の第２表示部２３に、図１１に示すように、領域ＡＲ５の画像が表示されるようになる。
【０１６５】
このように、制御システム１０００では、リモートコントロール装置２の第２表示画面を２点によりタッチしながら、タッチされている２点を所定の回転方向にずらすことで、表示角度変更処理を行うことができる。
【０１６６】
以上のように、制御システム１０００では、タッチパネル２５において、所定のタッチ操作を行うことで、リモートコントロール装置２の第２表示部２３において、表示の移動、表示倍率変更、表示角度変更等の処理を、感覚的な操作により、迅速に実行することができる。
【０１６７】
（１．２．２：機器操作モード）
次に、「機器操作モード」における制御システム１０００の動作について、説明する。
【０１６８】
例えば、図２に示すボタンＢｔｎ１をユーザーが押下することで、制御システム１０００は、「機器操作モード」に設定される。
【０１６９】
制御システム１０００は、機器操作モードに設定されると、リモートコントロール装置２の第２表示部２３における、表示の移動、表示倍率変更、表示角度変更等の処理を禁止する。
【０１７０】
つまり、タッチパネル制御部２４は、モード情報ｍｏｄｅが「機器操作モード」に設定されている場合、信号Ｄｐ１に、「機器操作モード」に設定されていることを示すモード情報ｍｏｄｅを含める。そして、タッチパネル制御部２４は、生成した信号Ｄｐ１を、コントローラ側変調部２１２に出力する。
【０１７１】
コントローラ側変調部２１２では、信号Ｄｐ１に対してＲＦ変調処理が実行され、無線信号Ｒｉが生成される。そして、生成された無線信号Ｒｉは、コントローラ側変調部２１２から主装置側復調部１６２に送信される。
【０１７２】
主装置側復調部１６２では、受信した無線信号ＲｉがＲＦ復調され、信号Ｄｐ１に相当する信号Ｄｐ２が取得される。そして、取得された信号Ｄｐ２は、主装置制御部１４に出力される。
【０１７３】
主装置制御部１４は、信号Ｄｐ２から、機器操作モードに設定されていることを認識し、制御対象機器の各機能部において、機器操作が可能な状態にする。また、主装置制御部１４は、調整部１５に対して、調整信号Ａｄｊを出力しないことで、第２表示部２３において、表示の移動、表示倍率変更、表示角度変更等の処理が実行されないようにする。
【０１７４】
主装置制御部１４は、リモートコントロール装置２の第２表示部２３の表示と、所定の機器操作とが割り当ての対応を把握しており、タッチパネル２５において、所定の機器操作が割り当てられている領域がタッチされた場合、当該領域に割り当てられている機器操作を実行させる。例えば、図２において、番組表の各番組の情報を表示している領域が、当該番組を視聴する機器操作に割り当てられている場合、ユーザーが、各番組の情報を表示している領域に対応するタッチパネル上の領域をタッチすることで、当該番組を視聴することができる。
【０１７５】
図２に示すように、リモートコントロール装置２の第２表示部２３に、表示されている番組の領域（例えば、図２では、「音楽の宴」という番組の領域）が表示されているときに、機器操作モードで、ユーザーが、当該番組の表示領域（例えば、図２の「音楽の宴」という番組の表示領域）をタッチすることで、当該番組（例えば、図２では、「音楽の宴」という番組）を視聴することができる。
【０１７６】
つまり、機器操作モードにおいて、タッチパネル２５上でタッチされた位置が、「音楽の宴」という番組の表示領域内であることを、上記と同様の処理により、主装置制御部１４が把握すると、主装置制御部１４は、制御対象装置１において、「音楽の宴」という番組の視聴されるように、各機能部を制御する（チャンネル切替制御等を行い、所望の番組の映像が第１表示部１３に表示されるように制御する）。
【０１７７】
このように、制御システム１０００では、「機器操作モード」において、リモートコントロール装置２の第２表示部２３に表示され、所定の機器操作に割り当てられた領域を、ユーザーがタッチすることで、制御対象装置１に所定の機器操作を実行させることができる。
【０１７８】
以上のように、制御システム１０００では、リモートコントロール装置２に、高解像度ディスプレイ装置を有するテレビ受信機（制御対象機器）の表示画面を表示させ、「表示操作モード」において、当該表示の移動、表示倍率変更、表示角度変更等の処理を、感覚的な操作により、迅速に実行することができる。さらに、制御システム１０００では、「機器操作モード」において、リモートコントロール装置２の第２表示部２３に表示され、所定の機器操作に割り当てられた領域を、ユーザーがタッチすることで、制御対象装置１に所定の機器操作を、簡単に、実行させることができる。
【０１７９】
［第２実施形態］
次に、第２実施形態について、説明する。
【０１８０】
なお、上記実施形態と同様の部分については、同一符号を付して、詳細な説明を省略する。
【０１８１】
図１２は、第２実施形態に係る制御システム２０００の概略構成図である。
【０１８２】
図１２に示すように、制御システム２０００は、第１実施形態の制御システム１０００において、リモートコントロール装置２をリモートコントロール装置２Ａに置換した構成を有している。
【０１８３】
リモートコントロール装置２Ａは、図１２に示すように、リモートコントロール装置２において、タッチパネル２５およびタッチパネル制御部２４を、入力制御部２７、第１入力装置２８、および、第２入力装置に置換した構成を有している。それ以外については、リモートコントロール装置２Ａは、リモートコントロール装置２と同様である。
【０１８４】
制御システム２０００では、タッチパネルを有しないリモートコントロール装置２Ａにより、第１実施形態と同様の処理を実行することができる。
【０１８５】
以下では、説明便宜のため、第１入力装置２８がキーボードであり、第２入力装置がホイール付きマウスである場合について、説明する。
【０１８６】
「表示操作モード」と「機器操作モード」の切替は、第１実施形態と同様に、リモートコントロール装置２Ａに所定のボタンを設置させ、当該ボタンを押下することで、「表示操作モード」と「機器操作モード」の切替処理を実行するようにしてもよい。また、第１入力装置２８であるキーボードの所定のキーにより、「表示操作モード」と「機器操作モード」の切替処理を実行するようにしてもよい。また、リモートコントロール装置２Ａの第２表示装置に所定の表示をさせて、当該表示を選択することで、「表示操作モード」と「機器操作モード」の切替処理を実行するようにしてもよい。
【０１８７】
入力制御部２７は、第１入力装置２８であるキーボードの所定のキーの状態を示す信号と、第２入力装置２９であるマウスの状態を示す信号とを入力する。入力制御部２７は、マウスの位置に対応するマウスポインタが、第２表示部２３に表示されるように、マウスの位置情報に関する信号を含む制御信号ｃｔｌ２を第２表示制御部２２に出力する。
【０１８８】
第２表示制御部２２は、制御信号ｃｔｌ２に基づいて、マウス位置を示すマウスカーソルを第２表示部２３に表示させる。
【０１８９】
「表示操作モード」において、制御システム２０００では、（Ａ１）絶対位置座標による表示位置変更処理、（Ａ２）相対位置座標による表示位置変更処理、（Ｂ）表示拡大率変更処理、および、（Ｃ）表示角度変更処理に、例えば、以下の操作を割り当てる。
（Ａ１）絶対位置座標による表示位置変更処理：
ユーザーが、マウスの左クリック操作により、第２表示部２３の表示画面の１点を特定する。そして、特定した１点の座標情報は、入力制御部２７により取得され、信号Ｄｐ１に含められてコントローラ側インターフェース部２１に出力される。つまり、本実施形態のマウスの左クリック操作により、第２表示部２３の表示画面の１点を特定する操作は、第１実施形態のタッチパネル２５の１点によるタッチに相当する操作に対応する。
【０１９０】
以降の処理については、第１実施形態と同様である。
【０１９１】
第１実施形態と同様に、本実施形態においても、第２表示部２３の表示画面の１点を特定する操作を行うことで、絶対位置座標による表示位置変更処理を行うことができる。
（Ａ２）相対位置座標による表示位置変更処理：
ユーザーが、マウスの左クリックをしながら、マウスをドラッグする操作により、第２表示部２３の表示画面の表示位置をずらす処理を実行させる。つまり、上記操作を行うことで、制御システム２０００においても、第１実施形態と同様に、相対位置座標による表示位置変更処理を実行させることができる。
（Ｂ）表示拡大率変更処理：
ユーザーが、マウスのホイールを回転させる操作を行うことで、第２表示部２３の表示画面の表示拡大率を変更する処理を実行させる。
（Ｃ）表示角度変更処理：
ユーザーが、キーボードの所定のキー（例えば、シフトキーやコントロールキー）を押下し、かつ、マウスの左クリックをし、マウスを所定の回転方向にドラッグすることで、第２表示部２３の表示角度変更処理を実行させる。
【０１９２】
以上のように、制御システム２０００では、タッチパネルを有しないリモートコントロール装置２Ａを用いて、所定の操作を割り当てることで、第１実施形態と同様に、感覚的な操作により、「表示操作モード」において、リモートコントロール装置２の表示の移動、表示倍率変更、表示角度変更等の処理を実行することができる。
【０１９３】
なお、「表示操作モード」において、リモートコントロール装置２の表示の移動、表示倍率変更、表示角度変更等の処理を実行するための操作の割り当ては、上記に限定されることはなく、他の操作を割り当てるようにしてもよい。
【０１９４】
また、制御システム２０００において、「機器操作モード」では、例えば、マウスのクリックにより、リモートコントロール装置２Ａの第２表示部２３に表示され、所定の機器操作に割り当てられた領域を、選択することで、制御対象装置１に所定の機器操作を、簡単に、実行させることができる。
【０１９５】
［第３実施形態］
次に、第３実施形態について、説明する。
【０１９６】
なお、上記実施形態と同様の部分については、同一符号を付して、詳細な説明を省略する。
【０１９７】
図１３は、第３実施形態に係る制御システム３０００の概略構成図である。
【０１９８】
図１４は、第３実施形態に係る制御システム３０００の制御対象装置１Ａおよびリモートコントロール装置２Ｂを模式的に示した図である。
【０１９９】
図１３に示すように、制御システム３０００は、第１実施形態の制御システム１０００において、制御対象装置１を制御対象装置１Ａに置換し、リモートコントロール装置２をリモートコントロール装置２Ｂに置換した構成を有している。
【０２００】
制御対象装置１Ａは、図１３に示すように、制御対象装置１において、主装置制御部１４を主装置制御部１４Ａに置換し、赤外線送信部１７を追加した構成を有している。
【０２０１】
主装置制御部１４Ａは、第１実施形態と同様の機能に加えて、赤外線送信部１７を制御するための制御信号ｃｔｌ３を生成し、制御信号ｃｔｌ３を赤外線送信部１７に出力する。
【０２０２】
赤外線送信部１７は、主装置制御部１４Ａからの制御信号ｃｔｌ３に基づいて、赤外線を照射する。なお、赤外線送信部１７は、図１４に示すように、制御対象装置１Ａの第１表示部の外周部の４隅に、それぞれ設けられた、４つの赤外光用発光ダイオードＬＥＤ１〜ＬＥＤ４を含む。赤外線送信部１７は、４つの赤外光用発光ダイオードＬＥＤ１〜ＬＥＤ４から赤外線（赤外光）ＩＲを外部に照射する。
【０２０３】
リモートコントロール装置２Ｂは、図１３に示すように、リモートコントロール装置２において、タッチパネル制御部２４を入力制御部２７Ａに置換し、赤外線受信部３０を追加した構成を有している。
【０２０４】
入力制御部２７Ａは、タッチパネル制御部２４と同様の機能を有している。入力制御部２７Ａは、赤外線受信部３０から出力される信号ｐｏｓを入力とする。この点において、入力制御部２７Ａは、タッチパネル制御部２４と相違する。
【０２０５】
赤外線受信部３０は、制御対象装置１Ａの赤外線送信部１７から照射される赤外線（赤外光）ＩＲを受信し、受信した赤外線ＩＲから、リモートコントロール装置２Ｂの赤外線受信部３０が指している第１表示部１３上の座標情報を取得する。赤外線受信部３０は、例えば、赤外光用撮像装置（赤外光用カメラ）である。
【０２０６】
例えば、図１４に示す場合、赤外線受信部３０は、赤外光用ＬＥＤである、ＬＥＤ１〜ＬＥＤ４が含まれるように撮像画像を取得する。そして、赤外線受信部３０の撮像パラメータ（絞り、画角、焦点距離、ズーム倍率）および赤外線受信部３０の光学系の光軸の方向を考慮して、取得した撮像画像上のＬＥＤ１〜ＬＥＤ４の位置関係から、赤外線受信部３０の光軸の延長線上であって、第１表示部１３の表示画面上の点Ｃ１（例えば、図１４に示した点Ｃ１）を検出する。
【０２０７】
赤外線受信部３０は、上記のようにして取得した点Ｃ１の座標情報（第１表示部１３の表示画面上に設定された絶対位置座標上の座標情報）を取得する。そして、赤外線受信部３０は、取得した点Ｃ１についての座標情報を示す信号ｐｏｓを、入力制御部２７Ａに出力する。
【０２０８】
なお、リモートコントロール装置２Ｂの傾き、つまり、赤外線受信部３０の光学系の光軸の角度によっては、赤外線送信部１７の４つの赤外光用発光ダイオードＬＥＤ１〜ＬＥＤ４からの赤外光ＩＲを十分に受光できない場合がある。この場合、例えば、ある期間Ｔ１において、赤外光用発光ダイオードＬＥＤ１およびＬＥＤ２のみから赤外光を照射し、期間Ｔ１の次の期間Ｔ２（期間Ｔ１と同じ長さの期間Ｔ２）において、赤外光用発光ダイオードＬＥＤ３およびＬＥＤ４のみから赤外光を照射する。つまり、赤外光用発光ダイオードＬＥＤ１およびＬＥＤ２からの照射と、赤外光用発光ダイオードＬＥＤ３およびＬＥＤ４からの照射とを、交互に行う（時分割での上下のＬＥＤを交互に点灯させる）。これにより、リモートコントロール装置２Ｂが傾いている場合、つまり、赤外線受信部３０の光学系の光軸が傾いている場合であっても、精度良く、赤外線受信部３０の光学系の光軸が向いている先を検出することができる。つまり、リモートコントロール装置２Ｂの傾いている場合であっても、赤外線受信部３０の光学系の光軸と第１表示部１３の表示面との交点Ｃ１を精度良く検出することができる。
【０２０９】
また、制御対象装置１Ａから照射されている赤外光がある場合、赤外線受信部３０により撮像された画像において、輝度が所定値よりも大きい領域に、赤外光用発光ダイオードＬＥＤ１〜ＬＥＤ４が存在すると判定するようにしてもよい。
【０２１０】
上記のようにして、赤外線受信部３０により取得された赤外線受信部３０の光学系の光軸と第１表示部１３の表示面との交点Ｃ１の座標情報を示す信号ｐｏｓは、入力制御部２７に入力される。
【０２１１】
入力制御部２７Ａでは、入力される信号ｐｏｓに基づいて、赤外線受信部３０の光学系の光軸と第１表示部１３の表示面との交点Ｃ１の座標情報を信号Ｄｐ１に含める。つまり、第１実施形態では、タッチパネル２５上に１点でタッチした場合に取得された当該タッチ点の座標情報を信号Ｄｐ１に含めて、絶対位置座標による表示位置変更処理を実行していたが、本実施形態では、上記処理により取得された赤外線受信部３０の光学系の光軸と第１表示部１３の表示面との交点Ｃ１の座標情報を信号Ｄｐ１に含めることで、絶対位置座標による表示位置変更処理を実行することができる。
【０２１２】
なお、入力制御部２７Ａは、赤外線受信部３０の光学系の光軸と第１表示部１３の表示面との交点Ｃ１が一定の距離Ｄ＿ｔｈ１以上移動したことを検出した場合に、当該交点Ｃ１の座標情報を信号Ｄｐ１に含めるようにしてもよい。これにより、上記交点Ｃ１が一定の距離以上移動したときのみ、表示位置変更処理が実行される。つまり、赤外線受信部３０の光学系の光軸と第１表示部１３の表示面との交点Ｃ１の座標情報を、常時、信号Ｄｐ１を含めるようにすると、感度が良すぎる状態となり、表示位置変更処理が頻繁に実行されることになり、かえってユーザーにとって操作性が悪くなることがある。そこで、上記のように、赤外線受信部３０の光学系の光軸と第１表示部１３の表示面との交点Ｃ１が一定の距離Ｄ＿ｔｈ１以上移動したことを検出した場合に、当該交点Ｃ１の座標情報を信号Ｄｐ１に含めるようにすることで、適度に、表示位置変更処理が実行されるので、操作性を向上させることができる。
【０２１３】
また、上記の距離Ｄ＿ｔｈ１は、ユーザーにより、任意に設定されるものであってもよい。
【０２１４】
また、入力制御部２７Ａは、赤外線受信部３０の光学系の光軸と第１表示部１３の表示面との交点Ｃ１（交点Ｃ１の座標を（ｘ＿Ｃ１，ｙ＿Ｃ１）とする）を、所定の方向に、所定の距離ｄ０だけシフトした点Ｃ２（交点Ｃ１の座標を（ｘ＿Ｃ２，ｙ＿Ｃ２）とする）の座標情報を信号Ｄｐ１に含めるようにしてもよい。つまり、入力制御部２７Ａは、
（ｘ＿Ｃ２，ｙ＿Ｃ２）＝（ｘ＿Ｃ１，ｙ＿Ｃ１）＋（ａ，ｂ）
ｄ０＝ｓｑｒｔ（ａ＾２＋ｂ＾２）
ｓｑｒｔ（ｘ）：ｘの平方根を取得する関数
に相当する処理により取得した点Ｃ２の座標情報を信号Ｄｐ１に含めるようにしてもよい。
【０２１５】
このように、赤外線受信部３０の光学系の光軸と第１表示部１３の表示面との交点Ｃ１を所定の方向に所定の距離だけシフトさせた点Ｃ２の座標情報を信号Ｄｐ１に含めることで、絶対位置座標による表示位置変更処理を実行することができる。
【０２１６】
赤外線受信部３０の光学系の光軸と第１表示部１３の表示面との交点Ｃ１を、そのまま、表示位置変更処理の基準点（例えば、第２表示部２３の表示画面の中心点）として利用すると、赤外線受信部３０（カメラ）の取りつけ位置、赤外線受信部３０の光学系の光軸の第２表示部２３の表示画面との角度等によっては、操作性が悪くなってしまうことがある。
【０２１７】
例えば、赤外線受信部３０（カメラ）が、第２表示部２３の表示画面に対して、上向きに装着されている場合、つまり、赤外線受信部３０（カメラ）の光学系の光軸が、第２表示部２３の表示画面に対して、上方向に傾いている場合、赤外線受信部３０の光学系の光軸と第１表示部１３の表示面との交点Ｃ１は、第１表示部１３の表示面において、第２表示部２３の表示画面を含む平面と、第１表示部１３の表示面との交線よりも上側に位置する。つまり、この場合、第１表示部１３の表示面において、交点Ｃ１は、ユーザーが注視しやすい領域（第２表示部２３の表示画面を含む平面と、第１表示部１３の表示面との交線付近の領域）よりも上側に位置するので、ユーザーは操作性が悪いと感じやすい。
【０２１８】
そこで、上記の場合、赤外線受信部３０の光学系の光軸と第１表示部１３の表示面との交点Ｃ１を、第１表示部１３の表示面において、下方向にシフトした点Ｃ２を、表示位置変更処理の基準点（例えば、第２表示部２３の表示画面の中心点）として利用することで、ユーザーの操作性を向上させることができる。
【０２１９】
つまり、制御システム３０００では、赤外線受信部３０（カメラ）の取りつけ位置、赤外線受信部３０の光学系の光軸の第２表示部２３の表示画面との角度等がどのようなものであっても、当該取り付け位置等の状況に対応させて、所定の方向に、所定の距離だけシフトした点Ｃ２を用いて、上記処理を行うことで、良好な操作性を保証することができる。なお、点Ｃ２を取得するためのシフト量は、ユーザーが設定（入力）できるものであってもよい。
【０２２０】
入力制御部２７Ａが出力した信号Ｄｐ１についての処理は、第１実施形態と同様である。
【０２２１】
このように、本実施形態の制御システム３０００では、リモートコントロール装置２Ｂの向きを変えることで、絶対位置座標による表示位置変更処理を実行することができるため、さらに、操作性を向上させることができる。
【０２２２】
なお、本実施形態の制御システム３０００においても、表示拡大率変更処理、表示角度変更処理、機器操作モードにおける処理については、第１実施形態と同様に、実行することができる。
【０２２３】
また、本実施形態の制御システム３０００において、例えば、リモートコントロール装置２Ｂに、表示位置変更の可否を決定するボタンを追加するようにしてもよい。つまり、本実施形態のリモートコントロール装置２Ｂに、第１実施形態と同様、「表示操作モード」と「機器操作モード」とを切り替えるボタン（これを「ボタン１」という）と、表示位置変更の可否を決定するボタン（これを「ボタン２」という）とを設けるようにしてもよい。
【０２２４】
つまり、本実施形態では、ボタン１、ボタン２のＯＮ／ＯＦＦにより、以下の４つのモードを設定するようにしてもよい。
（１）機器操作モード１
制御対象装置１Ａの操作、および、表示位置変更処理が可能なモード。
（２）機器操作モード２
制御対象装置１Ａの操作のみが可能なモード。
（３）表示操作モード１
表示位置変更処理、表示拡大率変更処理、および、表示角度変更処理が可能なモード。
（４）表示操作モード２
表示拡大率変更処理、および、表示角度変更処理が可能なモード。
【０２２５】
なお、上記４つのモードの情報は、モード切替部２６から出力されるモード情報ｍｏｄｅに含めるようにしてもよい。
【０２２６】
上記のように、４つのモードにより制御することで、リモートコントロール装置２Ｂの向きを変えたときに、ユーザーが意図していない表示位置変更処理が実行されることを防止することができる。
【０２２７】
［第４実施形態］
次に、第４実施形態について、説明する。
【０２２８】
なお、上記実施形態と同様の部分については、同一符号を付して、詳細な説明を省略する。
【０２２９】
図１５は、第４実施形態に係る制御システム４０００の概略構成図である。
【０２３０】
＜４．１：制御システムの構成＞
図１５に示すように、制御システム４０００は、第１実施形態の制御システム１０００において、制御対象装置１を制御対象装置１Ｂに置換し、リモートコントロール装置２をリモートコントロール装置２Ｃに置換した構成を有している。
【０２３１】
第４実施形態の制御システム４０００では、リモートコントロール装置２Ｃの第２表示部２３で表示されている画像が、制御対象装置１Ｂの第１表示部１３に表示されている画像のどの部分であるかを明示するマーカーを、第１表示部１３に表示されている画像上に表示させる。これにより、ユーザーは、リモートコントロール装置２Ｃに表示されている画像が、制御対象装置１Ｂに表示されている画像のどの部分であるかを容易に知ることができ、操作性を向上させることができる。
【０２３２】
制御対象装置１Ｂは、第１実施形態の制御対象装置１Ａにおいて、主装置制御部１４を主装置制御部１４Ｂに置換し、記憶部１８を追加した構成を有している。
【０２３３】
主装置制御部１４Ｂは、リモートコントロール装置２Ｃから、主装置側インターフェース部１６を介して信号Ｄｐ２を受信し、信号Ｄｐ２に含まれる情報（表示操作情報、機器操作情報、リモートコントロール装置２Ｃの動作状態及び表示状態を表す情報、マーカーの表示／非表示情報等）を取得する。
【０２３４】
主装置制御部１４Ｂは、リモートコントロール装置２Ｃより取得した情報に基づいて、第１表示制御部１２を制御するための制御信号ｃｔｌ０と、映像合成部１１を制御するための制御信号ｃｔｌ１と、リモートコントロール装置２Ｃに送る映像の調整を行うための調整信号Ａｄｊとを生成する。
【０２３５】
そして、主装置制御部１４Ｂは、生成した制御信号ｃｔｌ０を第１表示制御部１２に出力する。
【０２３６】
また、主装置制御部１４Ｂは、生成した制御信号ｃｔｌ１を映像合成部１１に出力する。なお、主装置制御部１４Ｂは、マーカーの表示／非表示情報、および、リモートコントロール装置２Ｃでの表示情報に基づいて、マーカーの表示／非表示情報、マーカーの種類・表示位置・大きさ・角度情報等を制御信号ｃｔｌ１に含める。
【０２３７】
また、主装置制御部１４Ｂは、調整信号Ａｄｊを調整部１５に出力する。
【０２３８】
また、主装置制御部１４Ｂは、映像データＶｉｎと合わせて送られてくるマーカーの情報である第１マーカー情報Ｍ＿ｉｎを入力する。第１マーカー情報は、送信側が予め設定したマーカーに関する情報であり、例えば、制御システム４０００において表示されるマーカーのデフォルトのサイズや形状等に関する情報である。制御システム４０００が受信した第１マーカー情報Ｍ＿ｉｎによりマーカーの設定をすることができるので、制御システム４０００において、マーカーの情報を設定する等の手間が省かれる。
【０２３９】
また、主装置制御部１４Ｂは、入力された第１マーカー情報Ｍ＿ｉｎを記憶部１８に記憶させる。
【０２４０】
また、主装置制御部１４Ｂは、図１５に示すように、記憶部１８と接続されている。主装置制御部１４Ｂは、信号Ｄｐ２により、リモートコントロール装置２Ｃからマーカーの保存操作が行われたことを示す情報を取得した場合、その時点において第１表示部１３に表示されているマーカーの種類、マーカー位置、マーカーのサイズの情報等を第２マーカー情報として記憶部１８に記憶させる。
【０２４１】
また、主装置制御部１４Ｂは、信号Ｄｐ２により、リモートコントロール装置２Ｃにおいて、マーカーの呼び出し操作が行われたことを示す情報を取得した場合、当該情報に基づいて、マーカーの一部または全部の第２マーカー情報を記憶部１８から読み出し、読み出した第２マーカー情報を制御信号ｃｔｌ１に含めて、当該制御信号を映像合成部１１に出力する。また、主装置制御部１４Ｂは、マーカー情報に対応した調整信号Ａｄｊを出力する。調整部１５は、調整信号Ａｄｊを取得し、取得した調整信号Ａｄｊに基づいて、映像信号Ｄ１から、リモートコントロール装置２に表示させる映像領域（画像領域）を形成する調整後映像信号Ｄ２を取得する。そして、調整部１５は、取得した調整後映像信号Ｄ２と、調整後映像信号Ｄ２が形成する画像領域を特定するための座標情報ｚ１を主装置側インターフェース部１６の主装置側変調部１６１に出力する。
【０２４２】
このように、主装置制御部１４Ｂが、記憶部１８に保存されているマーカー情報を呼び出す（取得する）ことにより、マーカー情報を記憶した時点の画像領域が第２表示部に表示されるため、ユーザーが第２表示部２３の表示位置を再調整する手間を省くことができる。
【０２４３】
記憶部１８は、主装置制御部１４Ｂに接続されており、主装置制御部１４Ｂからの指令により、データの読み出し処理、データの書き込み処理を実行する。
【０２４４】
リモートコントロール装置２Ｃは、図１５に示すように、コントローラ側インターフェース部２１と、第２映像合成部３１と、第２表示制御部２２Ａと、第２表示部２３と、タッチパネル２５と、操作ボタン２６Ａと、入力制御部２７Ｂと、を備える。
【０２４５】
なお、コントローラ側インターフェース部２１、第２表示部２３、および、タッチパネル２５は、第１実施形態のものと同様のものである。
【０２４６】
第２映像合成部３１は、コントローラ側インターフェース部２１から出力される映像信号Ｄ３と、入力制御部２７Ｂから出力される重ね合わせ用映像信号Ｄｏｎ（操作ボタンの情報、状態表示情報等に基づいて生成された映像信号Ｄｏｎ）と、入力制御部２７Ｂから出力される映像合成調整用情報を含む制御信号ｃｔｌ３と、を入力する。第２映像合成部３１は、これらの情報に基づいて、映像信号Ｄ３と映像信号Ｄｏｎとを合成し映像信号Ｄ４を生成する。そして、第２映像合成部３１は、生成した映像信号を合成後映像信号Ｄ４として、第２表示制御部２２Ａに出力する。なお、映像信号Ｄｏｎは、ユーザー操作用ボタン、あるいは、装置の状態などの表示映像である。
【０２４７】
第２表示制御部２２Ａは、第２映像合成部３１から出力される合成後映像信号Ｄ４と、入力制御部２７から出力される制御信号ｃｔｌ４とを入力する。第２表示制御部２２Ａは、制御信号ｃｔｌ４に従い、合成後映像信号Ｄ４を映像信号Ｄ５として、第２表示部２３に出力する。
【０２４８】
操作ボタン２６Ａは、例えば、リモートコントロール装置２Ｃの筐体に設置されており、ユーザーが操作ボタン２６Ａを押下することで、操作ボタン２６Ａに割り当てられている機能を実現する。図１５に示すように、操作ボタン２６Ａの操作情報を示す信号ｃｔｌ５は、入力制御部２７Ｂに出力される。なお、操作ボタン２６Ａの数は、任意でよい。例えば、操作ボタン２６Ａとして、リモートコントロール装置２Ｃの筐体に４つのボタン（例えば、図１６等に示すボタンＢｔｎ１〜Ｂｔｎ４）を設置してもよい。
【０２４９】
タッチパネル２５は、タッチ操作より得られたタッチ位置座標情報を含む信号ｔｃｈを入力制御部２７Ｂに出力する。
【０２５０】
入力制御部２７Ｂは、操作ボタン２６Ａから出力される操作ボタン２６Ａの操作情報を示す信号ｃｔｌ５と、タッチパネル２５から出力されるタッチ位置座標情報を含む信号ｔｃｈと、を入力とする。入力制御部２７Ｂは、信号ｃｔｌ５に含まれる操作ボタンの操作情報と、信号ｔｃｈに含まれるタッチパネル操作情報とに基づいて、映像信号Ｄ３と合成するための映像信号Ｄｏｎを生成し、生成した映像信号Ｄｏｎを第２映像合成部３１に出力する。映像信号Ｄｏｎによる映像は、例えば、操作ボタンの状態を明示する映像、あるいは、制御部システムの状態表示情報を明示する映像等である。また、入力制御部２７Ｂは、映像信号Ｄ３と映像信号Ｄｏｎとを合成するときに必要となる映像合成調整用情報（合成映像の合成位置・大きさの情報）を含む制御信号ｃｔｌ３を生成し、生成した制御信号ｃｔｌ３を第２映像合成部３１に出力する。
【０２５１】
また、入力制御部２７Ｂは、表示制御情報を含む制御信号ｃｔｌ４を生成し、生成した制御信号ｃｔｌ４を第２表示制御部２２Ａに出力する。
【０２５２】
また、入力制御部２７Ｂは、リモートコントロール装置２Ｃの表示状態情報および制御対象装置１Ｂの制御情報を含む信号Ｄｐ１を生成し、コントローラ側インターフェース部２１のコントローラ側変調部２１２に出力する。なお、信号Ｄｐ１に含める制御情報には、マーカーの表示／非表示情報が含まれる。
【０２５３】
なお、第１〜第３実施形態と同様に、リモートコントロール装置２Ｃにモード切替部２６を設けるように、モード切替部２６が、モードを示す情報（モード情報）ｍｏｄｅを、入力制御部２７Ｂに出力するようにしてもよい。
【０２５４】
本実施形態のリモートコントロール装置２Ｃでは、操作ボタン２６Ａ、および／または、タッチパネル２５の操作により、（１）機器操作モードと、（２）表示操作モードとを切り替える。本実施形態のリモートコントロール装置２Ｃにおいて、例えば、以下の操作により、モードを切り替えるようにしてもよい。
（１）操作ボタンにより、（１）機器操作モードと、（２）表示操作モードとを切り替える。で行う。
（２）第２表示部にボタンを表示させ、タッチパネル２５上において、当該ボタンの座標位置がタッチされた場合に、所定のモードに切り替える（設定する）。
（３）タッチパネル２５において、所定のタッチジェスチャー（例えば、３点タッチ、ダブルタッチ（タッチパネル２５上におけるダブルクリックと同様の操作））により、所定のモードに切り替える。
【０２５５】
入力制御部２７Ｂが、操作ボタン２６Ａ、および／または、タッチパネル２５の操作に対応する信号ｃｔｌ５、信号ｔｃｈに基づいて、モードを設定し、設定したモードを示す情報（モード情報）ｍｏｄｅを、信号Ｄｐ１に含めて、コントローラ側インターフェース部２１に出力する。
【０２５６】
＜４．２：制御システムの動作＞
以上のように構成された制御システム４０００の動作について、以下、説明する。
【０２５７】
なお、上記実施形態と同様の部分については、詳細な説明を省略する。
【０２５８】
（４．２．１：マーカー表示）
図１６は、絶対位置座標による表示位置変更処理について説明するための図である。具体的には、図１６は、制御対象装置１Ｂと、リモートコントロール装置２Ｃとを模式的に示した図であり、制御対象装置１の第１表示部１３に、番組表を表示させた状態を示している。また、図１６は、リモートコントロール装置２Ｃの第２表示部２３に、第１表示部１３の領域ＡＲ１を拡大表示させている状態を示している。
【０２５９】
なお、図１６に示すように、Ｘ軸およびＹ軸を設定するものとする。そして、図１６に示すように、制御対象装置１の第１表示部１３の表示画面の領域は、Ｘ座標において、最小値がＸｍｉｎ（１）であり、最大値がＸｍａｘ（１）であり、Ｙ座標において、最小値がＹｍｉｎ（１）であり、最大値がＹｍａｘ（１）であるものとする。
【０２６０】
また、図１６に示すように、リモートコントロール装置２Ｃの第２表示部２３の表示画面の領域は、Ｘ座標において、最小値がＸｍｉｎ（２）であり、最大値がＸｍａｘ（２）であり、Ｙ座標において、最小値がＹｍｉｎ（２）であり、最大値がＹｍａｘ（２）であるものとする。
【０２６１】
図１６の状態において、例えば、ユーザーが、リモートコントロール装置２のボタンＢｔｎ１を押下することで、「表示操作モード」に設定される。例えば、ボタンＢｔｎ１を押下することで、トグル動作により、「表示操作モード」と「機器操作モード」とが切り替えられる。なお、設定されたモードを、第２表示部２３、および／または、第１表示部１３に表示するようにしてもよい。
【０２６２】
図１６の状態において、入力制御部２７Ｂは、第２表示部２３に表示されている矩形領域（Ｘｍｉｎ（２），Ｙｍｉｎ（２））−（Ｘｍａｘ（２），Ｙｍａｘ（２））が、第１表示部１３に表示されている矩形領域（Ｘ０（１），Ｙ０（１））―（Ｘ１（１），Ｙ１（１））であることを示す情報を信号Ｄｐ１に含め、コントローラ側インターフェース部２１を介して、制御対象装置１Ｂに送信する。
【０２６３】
制御対象装置１Ｂの主装置制御部１４Ｂは、主装置側インターフェース部１６を介して、信号Ｄｐ１に対応する信号Ｄｐ２を受信し、第２表示部２３に表示されている矩形領域（Ｘｍｉｎ（２），Ｙｍｉｎ（２））−（Ｘｍａｘ（２），Ｙｍａｘ（２））が、第１表示部１３に表示されている矩形領域（Ｘ０（１），Ｙ０（１））―（Ｘ１（１），Ｙ１（１））であることを示す情報を取得する。
【０２６４】
そして、主装置制御部１４Ｂは、第１表示部１３の矩形領域（Ｘ０（１），Ｙ０（１））―（Ｘ１（１），Ｙ１（１））がマーカーを重畳した状態で表示されるように制御する。つまり、主装置制御部１４Ｂは、記憶部１８からマーカー情報を取得し、取得したマーカー情報に基づいて、第１表示部１３の矩形領域（Ｘ０（１），Ｙ０（１））―（Ｘ１（１），Ｙ１（１））が、図１６に示すように、マーカーが重畳された状態で表示されるように、制御信号ｃｔｌ１を生成する。そして、主装置制御部１４Ｂは、生成した制御信号ｃｔｌ１を映像合成部１１に出力する。
【０２６５】
映像合成部１１は、主装置制御部１４Ｂからの制御信号ｃｔｌ１に基づいて、第１表示部１３の矩形領域（Ｘ０（１），Ｙ０（１））―（Ｘ１（１），Ｙ１（１））が、マーカーで重畳された映像信号Ｄ０を生成し、生成した映像信号Ｄ０を第１表示制御部１２に出力する。
【０２６６】
第１表示制御部１２は、映像合成部１１からの映像信号Ｄ０が第１表示部１３に表示されるように、第１表示部１３に対して表示制御を行う。
【０２６７】
上記処理により、制御システム４０００では、リモートコントロール装置２Ｃの第２表示部２３に表示されている矩形領域（Ｘｍｉｎ（２），Ｙｍｉｎ（２））−（Ｘｍａｘ（２），Ｙｍａｘ（２））に対応する制御対象装置１Ｂの第１表示部１３上の矩形領域（Ｘ０（１），Ｙ０（１））―（Ｘ１（１），Ｙ１（１））（領域ＡＲ１）にマーカーが表示される。これにより、ユーザーは、リモートコントロール装置２Ｃの第２表示部２３に表示されている画像（映像）が、制御対象装置１Ｂの第１表示部１３に表示されている画像（映像）のどの部分であるのかを容易に認識することができる。
【０２６８】
（４．２．２：表示位置変更処理（マーカー表示））
次に、リモートコントロール装置２Ｃの第２表示部２３に表示させる画像領域を変更する場合の操作（表示位置変更処理）について説明する。
【０２６９】
図１７は、リモートコントロール装置２Ｃの第２表示部２３に表示させる画像領域を変更する場合の操作について説明するための図である。
【０２７０】
なお、図１６の矩形領域ＡＲ＿ｔｇが目標とする移動先の矩形領域であるとして、以下、説明する。
【０２７１】
例えば、図１６において、ユーザーが、リモートコントロール装置２Ｃの第２表示部２３のＰ１（２）点を、１点によりタッチすると、リモートコントロール装置２Ｃの第２表示部２３に表示されていた表示は、第１表示部１３の領域ＡＲ１から、第１表示部１３の点Ｐ１（１）を中心とする領域の表示へと更新させることができる。
【０２７２】
つまり、リモートコントロール装置２Ｃの第２表示部２３の表示画面全体に設定された座標平面が、制御対象装置１の第１表示部１３の表示画面全体に設定された座標平面に対応付けた場合に、第２表示部２３の表示画面（座標平面）上のＰ１（２）点に相当する、第１表示部１３の表示画面（座標平面）上の点Ｐ１（１）点を中心とする領域の表示へと更新させることができる。なお、第１表示部１３の表示画面全体に設定された座標平面における点Ｐ１（１）の座標を（Ｘ２（１），Ｙ２（１））とし、第２表示部２３の表示画面全体に設定された座標平面における点Ｐ１（２）の座標を（Ｘ２（２），Ｙ２（２））とすると、
（Ｘ２（１）−Ｘｍｉｎ（１））／（Ｘｍａｘ（１）−Ｘｍｉｎ（１））
＝（Ｘ２（２）−Ｘｍｉｎ（２））／（Ｘｍａｘ（２）−Ｘｍｉｎ（２））
であり、かつ、
（Ｙ２（１）−Ｙｍｉｎ（１））／（Ｙｍａｘ（１）−Ｙｍｉｎ（１））
＝（Ｙ２（２）−Ｙｍｉｎ（２））／（Ｙｍａｘ（２）−Ｙｍｉｎ（２））
である。
【０２７３】
図１７は、上記操作後の制御対象装置１Ｂと、リモートコントロール装置２Ｃとの状態を示す図である。図１７に示すように、リモートコントロール装置２Ｃの第２表示部２３には、制御対象装置１の第１表示部１３の領域ＡＲ２が表示されている。
【０２７４】
上記操作を行った場合における制御システム４０００の動作について、図１７を参照しながら説明する。なお、制御システム４０００は、「表示操作モード」に設定されているものとして、説明する。
【０２７５】
タッチパネル２５上において、図１７に示す点Ｐ１（２）の位置を１点でユーザーがタッチした場合、入力制御部２７Ｂは、タッチパネル２５から出力される信号（タッチパネル２５上の電界変化を示す信号）に基づいて、タッチされているのが１点であることを認識し、タッチ点の座標位置を検出する。図１７の場合では、タッチ点の座標位置（Ｘ２（２），Ｙ２（２））が、タッチ点の座標情報として取得される。
【０２７６】
入力制御部２７Ｂは、上記検出結果、すなわち、（１）タッチされているのが１点であること、および、（２）タッチ点の座標位置（Ｘ２（２），Ｙ２（２））についての情報を含めた信号Ｄｐ１を生成する。そして、入力制御部２７Ｂは、生成した信号Ｄｐ１を、コントローラ側変調部２１２に出力する。
【０２７７】
コントローラ側変調部２１２では、信号Ｄｐ１に対してＲＦ変調処理が実行され、無線信号Ｒｉが生成される。そして、生成された無線信号Ｒｉは、コントローラ側変調部２１２から主装置側復調部１６２に送信される。
【０２７８】
主装置側復調部１６２では、受信した無線信号ＲｉがＲＦ復調され、信号Ｄｐ１に相当する信号Ｄｐ２が取得される。そして、取得された信号Ｄｐ２は、主装置制御部１４に出力される。
【０２７９】
主装置制御部１４Ｂは、信号Ｄｐ２から、リモートコントロール装置２のタッチパネル２５において、（１）タッチされているのが１点であること、および、（２）タッチ点の座標位置（Ｘ２（２），Ｙ２（２））であることを認識する。
【０２８０】
そして、主装置制御部１４Ｂは、タッチされているのが１点である場合、絶対位置座標による表示位置変更処理（移動処理）を実行する。
【０２８１】
また、主装置制御部１４Ｂは、リモートコントロール装置２Ｃの第２表示部２３の表示画像上の点Ｐ１（２）に対応する、制御対象装置１Ｂの第１表示部１３の表示画像上の点Ｐ１（１）を特定し、点Ｐ１（１）を中心とする矩形領域ＡＲ２がマーカーを重畳した状態で表示されるように制御する。つまり、主装置制御部１４Ｂは、記憶部１８からマーカー情報を取得し、取得したマーカー情報に基づいて、第１表示部１３の矩形領域ＡＲ２が、図１７に示すように、マーカーが重畳された状態で表示されるように、制御信号ｃｔｌ１を生成する。そして、主装置制御部１４Ｂは、生成した制御信号ｃｔｌ１を映像合成部１１に出力する。
【０２８２】
映像合成部１１は、主装置制御部１４Ｂからの制御信号ｃｔｌ１に基づいて、第１表示部１３の矩形領域ＡＲ２が、マーカーで重畳された映像信号Ｄ０を生成し、生成した映像信号Ｄ０を第１表示制御部１２に出力する。
【０２８３】
第１表示制御部１２は、映像合成部１１からの映像信号Ｄ０が第１表示部１３に表示されるように、第１表示部１３に対して表示制御を行う。
【０２８４】
そして、第１実施形態と同様の処理により、矩形領域ＡＲ２に対応する画像（映像）が、リモートコントロール装置２Ｃの第２表示部２３に表示される。
【０２８５】
図１７に示すように、この段階で、リモートコントロール装置２Ｃの第２表示部２３に表示されている画像（映像）は、目標とする移動先の矩形領域ＡＲ＿ｔｇと若干ずれていることが、制御対象装置１Ｂの第１表示部１３のマーカーにより一目瞭然である。
【０２８６】
そして、ユーザーは、第１表示部１３に表示されているマーカーの位置から、目標とする移動先の矩形領域ＡＲ＿ｔｇを表示させるためには、点Ｐ１（２）よりも若干左下の点Ｐ２（２）を１点タッチすればよいことが容易に分かる。したがって、ユーザーは、点Ｐ２（２）をタッチすることで、制御システム４０００では、上記と同様の処理が実行され、目標とする移動先の矩形領域ＡＲ＿ｔｇに対応する画像を、リモートコントロール装置２Ｃの第２表示部２３に表示させることができる。
【０２８７】
このように、制御システム４０００では、表示位置変更処理（表示を移動させる処理）と、ユーザーによる視覚による位置確認とを繰り返すことで、容易に、目標とする移動先の矩形領域ＡＲ＿ｔｇに対応する画像を、リモートコントロール装置２Ｃの第２表示部２３に表示させることができる。
【０２８８】
（４．２．３：表示拡大率変更処理（マーカー表示））
次に、表示拡大率変更処理（マーカー表示）について、説明する。
【０２８９】
図１８は、表示拡大率変更処理について説明するための図である。具体的には、図１８は、制御対象装置１Ｂと、リモートコントロール装置２Ｃとを模式的に示した図であり、制御対象装置１Ｂの第１表示部１３に、番組表を表示させた状態を示している。図１８の左上図は、表示拡大率変更処理前の制御対象装置１Ｂを示しており、図１８の左下図は、表示拡大率変更処理前のリモートコントロール装置２Ｃを示している。図１８の右上図は、表示拡大率変更処理後の制御対象装置１Ｂを示しており、図１８の右下図は、表示拡大率変更処理後のリモートコントロール装置２Ｃを示している。
【０２９０】
なお、図１８の矩形領域ＡＲ＿ｔｇ２が目標とする表示拡大率変更処理後の矩形領域であるとして、以下、説明する。また、制御システム４０００は、「表示操作モード」に設定されているものとする。
【０２９１】
上記実施形態と同様に、表示操作モードに設定されている状態において、ユーザーが、リモートコントロール装置２Ｃの第２表示部２３の表示画面の２点をタッチしながら、タッチした２点間の距離を変更することで、制御対象装置１Ｂの第１表示部１３の表示画面における表示拡大率を変更することができる。なお、表示倍率を変更するときの中心点は、タッチした２点間の中点である。
【０２９２】
例えば、図１８の左下図のリモートコントロール装置２の第２表示部２３の中心部において、ユーザーが２点をタッチしながら、当該２点間の距離が小さくなるようにずらすと、前述の実施形態と同様の処理が実行され、制御対象装置１Ｂの第１表示部１３の表示倍率を変更（表示を縮小）することができる。
【０２９３】
ユーザーにより上記操作がなされた場合、主装置制御部１４Ｂは、受信した信号Ｄｐ２に基づいて、表示拡大率変更処理後にリモートコントロール装置２Ｃの第２表示部２３に表示される画像に対応する第１表示部１３上の矩形領域を決定し、決定した矩形領域がマーカー表示されるように制御する。例えば、表示拡大率変更処理後にリモートコントロール装置２Ｃの第２表示部２３に表示される画像に対応する第１表示部１３上の矩形領域が図１８の矩形領域ＡＲ＿ｔｇ２である場合、主装置制御部１４Ｂは、第１表示部１３の矩形領域ＡＲ＿ｔｇ２がマーカーを重畳した状態で表示されるように制御する。つまり、主装置制御部１４Ｂは、記憶部１８からマーカー情報を取得し、取得したマーカー情報に基づいて、第１表示部１３の矩形領域ＡＲ＿ｔｇ２が、図１８の右図に示すように、マーカーが重畳された状態で表示されるように、制御信号ｃｔｌ１を生成する。そして、主装置制御部１４Ｂは、生成した制御信号ｃｔｌ１を映像合成部１１に出力する。
【０２９４】
映像合成部１１は、主装置制御部１４Ｂからの制御信号ｃｔｌ１に基づいて、第１表示部１３の矩形領域ＡＲ＿ｔｇ２が、マーカーで重畳された映像信号Ｄ０を生成し、生成した映像信号Ｄ０を第１表示制御部１２に出力する。
【０２９５】
第１表示制御部１２は、映像合成部１１からの映像信号Ｄ０が第１表示部１３に表示されるように、第１表示部１３に対して表示制御を行う。
【０２９６】
上記処理により、制御システム４０００では、表示拡大率変更処理においても、リモートコントロール装置２Ｃの第２表示部２３に表示されている矩形領域（Ｘｍｉｎ（２），Ｙｍｉｎ（２））−（Ｘｍａｘ（２），Ｙｍａｘ（２））に対応する制御対象装置１Ｂの第１表示部１３上の矩形領域にマーカーが表示される。これにより、ユーザーは、リモートコントロール装置２Ｃの第２表示部２３に表示されている画像（映像）が、制御対象装置１Ｂの第１表示部１３に表示されている画像（映像）のどの部分であるのかを容易に認識することができる。このため、制御システム４０００において、表示拡大率変更処理の操作性がさらに向上する。
【０２９７】
なお、表示角度変更処理についても、制御システム４０００では、マーカーの表示を行いながら、表示角度変更処理を実行することで、操作性を向上させることができる。
【０２９８】
（４．２．４：マーカー保存処理・呼び出し処理）
次に、マーカーの保存処理・呼び出し処理について、説明する。
【０２９９】
まず、マーカーの保存処理について説明する。
【０３００】
制御システム４０００は、ユーザーがマーカー保存操作を行うと、当該操作を行った時点のリモートコントロール装置２Ｃの表示状態情報（表示位置、表示範囲、表示角度）をマーカーとして保存する。
【０３０１】
「マーカー保存操作」は、例えば、（１）リモートコントロール装置２Ｃの操作ボタン２６Ａの所定のボタンを押下する操作、（２）リモートコントロール装置２Ｃの第２表示部に表示された所定の画像領域（ボタンやアイコン等の表示領域）をユーザーがタッチする操作、あるいは、（３）リモートコントロール装置２Ｃのタッチパネル２５上でのユーザーによる所定のタッチアクションを行う操作、である。
【０３０２】
ユーザーがマーカー保存操作を行った場合、リモートコントロール装置２Ｃの入力制御部２７Ｂは、第２表示部２３の表示状態情報（表示位置、表示範囲、表示角度）を信号Ｄｐ１に含め、信号Ｄｐ１をコントローラ側インターフェース部２１を介して、制御対象装置１Ｂに送信する。
【０３０３】
そして、制御対象装置１Ｂの主装置制御部１４Ｂは、主装置側インターフェース部１６を介して、信号Ｄｐ２を受信することで、リモートコントロール装置２Ｃから送信された表示状態情報（表示位置、表示範囲、表示角度）を取得する。
【０３０４】
主装置制御部１４Ｂは、取得した表示状態情報（表示位置、表示範囲、表示角度）を記憶部１８に保存する。
【０３０５】
なお、記憶部１８に保存する表示状態情報の数を予め決めておくようにしてもよい。この場合、主装置制御部１４Ｂが、記憶部１８に記憶できる数を超えて、表示状態情報を保存しようとした場合、主装置制御部１４Ｂは、もっとも古い表示状態情報を記憶部１８から削除し、新しい表示状態情報を記憶部１８に保存するようにしてもよい。
【０３０６】
次に、マーカーの呼び出し処理について説明する。
【０３０７】
図１９は、マーカーの呼び出し処理について説明するための図である。
【０３０８】
制御システム４０００は、ユーザーがマーカー呼び出し操作を行うと、保存されているマーカーが、制御対象装置１Ｂの第１表示部１３の画面上に表示される（マーカー選択状態）。
【０３０９】
「マーカー呼び出し操作」は、例えば、（１）リモートコントロール装置２Ｃの操作ボタン２６Ａの所定のボタンを押下する操作、（２）リモートコントロール装置２Ｃの第２表示部に表示された所定の画像領域（ボタンやアイコン等の表示領域）をユーザーがタッチする操作、あるいは、（３）リモートコントロール装置２Ｃのタッチパネル２５上でのユーザーによる所定のタッチアクションを行う操作、である。
【０３１０】
ユーザーがマーカー呼び出し操作を行った場合、リモートコントロール装置２Ｃの入力制御部２７Ｂは、マーカー呼び出し操作が実行されてことを示す情報を信号Ｄｐ１に含め、信号Ｄｐ１をコントローラ側インターフェース部２１を介して、制御対象装置１Ｂに送信する。
【０３１１】
そして、制御対象装置１Ｂの主装置制御部１４Ｂは、主装置側インターフェース部１６を介して、信号Ｄｐ２を受信することで、リモートコントロール装置２Ｃにおいて、マーカー呼び出し操作が実行されてことを示す情報を取得する。
【０３１２】
そして、主装置制御部１４Ｂは、記憶部１８に記憶されているマーカーに関する情報（マーカーの表示位置、表示範囲、表示角度）を取得し、記憶部１８に記憶されているマーカーが制御対象装置１Ｂの第１表示部１３に表示するための制御信号ｃｔｌ１を生成し、映像合成部１１に出力する。
【０３１３】
映像合成部１１は、主装置制御部１４Ｂからの制御信号ｃｔｌ１に基づいて、記憶部１８に記憶されているマーカーが表示されるように、映像信号Ｄ０を生成し、生成した映像信号Ｄ０を第１表示制御部１２に出力する。
【０３１４】
第１表示制御部１２は、映像合成部１１からの映像信号Ｄ０が第１表示部１３に表示されるように、第１表示部１３に対して表示制御を行う。
【０３１５】
図１９の左上図は、マーカー呼び出し操作が実行され、第１表示部１３に、記憶部１８に記憶されているマーカーが表示されている状態（マーカー選択状態）を示している。図１９の左上図は、３つのマーカーが記憶部１８に記憶されており、３つのマーカーが呼び出されたときの状態を示している。なお、説明便宜上、図１９に示すように、（１）１つ目のマーカーは、矩形領域ＡＲ１にマーカー表示するマーカーであり、（２）２つ目のマーカーは、矩形領域ＡＲ７にマーカー表示するマーカーであり、（３）３つ目のマーカーは、矩形領域ＡＲ８にマーカー表示するマーカーであるものとする。
【０３１６】
制御システム４０００では、図１９の左図の状態において、ユーザーがマーカーを選択することができる。例えば、（１）操作ボタン２６Ａの１番目のボタンＢｔｎ１を１つ目のマーカー（矩形領域ＡＲ１のマーカー）に割り当て、（２）操作ボタン２６Ａの２番目のボタンＢｔｎ２を２つ目のマーカー（矩形領域ＡＲ７のマーカー）に割り当て、（３）操作ボタン２６Ａの３番目のボタンＢｔｎ３を３つ目のマーカー（矩形領域ＡＲ８のマーカー）に割り当てる。
【０３１７】
そして、例えば、２つ目のマーカー（矩形領域ＡＲ７のマーカー）を選択する場合、ユーザーが２番目のボタンＢｔｎ２を押下することで、２つ目のマーカーに対応する矩形領域ＡＲ７が、リモートコントロール装置２Ｃの第２表示部２３に表示される。
【０３１８】
別の方法として、ユーザーがリモートコントロール装置２Ｃの第２表示部２３の画面上の１点をタッチし、当該タッチした点に対応する制御対象装置１Ｂの座標点と最も近いマーカーを選択し、選択したマーカーに対応する画像がリモートコントロール装置２Ｃの第２表示部２３に表示されるようにしてもよい。例えば、２つ目のマーカー（矩形領域ＡＲ７のマーカー）を選択する場合、図１９の点Ｐｍ（２）をタッチする。点Ｐｍ（２）に対応する、第１表示部１３の画面上の点は、図１９の点Ｐｍ（１）であり、点Ｐｍ（１）に一番近いマーカーは、２つ目のマーカーであるので、２つ目のマーカー（矩形領域ＡＲ７のマーカー）が選択される。
【０３１９】
上記操作が行われた場合、リモートコントロール装置２Ｃの入力制御部２７Ｂが、タッチ点Ｐｍ（２）の座標情報を信号Ｄｐ１に含め、制御対象装置１Ｂに送信する。そして、制御対象装置１Ｂの主装置制御部１４Ｂが、信号Ｄｐ２により、タッチ点Ｐｍ（２）の座標情報を取得し、タッチ点Ｐｍ（２）に対応する第１表示部１３の表示画面上の点Ｐｍ（１）の座標情報を算出する。主装置制御部１４Ｂは、算出した点Ｐｍ（１）の座標情報に基づいて、第１表示部１３の表示画面上で点Ｐｍ（１）と最も近い位置に表示されるマーカーを特定し、特定したマーカーが表示される矩形領域の情報を調整部１５に出力する。
【０３２０】
また、主装置制御部１４Ｂは、マーカー情報に対応した調整信号Ａｄｊを出力する。調整部１５は、調整信号Ａｄｊを取得し、取得した調整信号Ａｄｊに基づいて、映像信号Ｄ１から、リモートコントロール装置２に表示させる映像領域（画像領域）を形成する調整後映像信号Ｄ２を取得する。そして、調整部１５は、取得した調整後映像信号Ｄ２と、調整後映像信号Ｄ２が形成する画像領域を特定するための座標情報ｚ１と、を主装置側インターフェース部１６の主装置側変調部１６１に出力する。
【０３２１】
リモートコントロール装置２Ｃの第２映像合成部３１は、コントローラ側インターフェース部２１を介して、座標情報ｚ１に対応する座標情報ｚ２と、調整後映像信号Ｄ２に対応する調整後映像信号Ｄ３とを受信する。そして、第２映像合成部３１は、座標情報ｚ２に基づいて、調整後映像信号Ｄ３と映像信号Ｄｏｎとを合成した映像信号Ｄ４を第２表示制御部２２Ａに出力する。第２表示制御部２２Ａは、映像信号Ｄ４を映像信号Ｄ５として、第２表示部２３に出力し、第２表示部２３は、映像信号Ｄ５を表示する。
【０３２２】
これにより、リモートコントロール装置２Ｃでは、特定されたマーカーが表示されている矩形情報に基づいて、当該マーカーに対応する画像領域に対応する画像（映像）が、第２表示部２３に表示される。図１９の右図は、２つ目のマーカー選択後の状態を示している。図１９の右図から分かるように、リモートコントロール装置２Ｃの第２表示部２３には、第１表示部１３のマーカーが重畳されている部分の画像（映像）が表示されている。
【０３２３】
以上のようにして、制御システム４０００において、マーカーの呼び出し処理が実行される。
【０３２４】
なお、マーカー選択状態において、選択されているマーカー（選択されているマーカーに対応する矩形領域）を明示するために、選択されているマーカーの枠を点滅させる、あるいは、強調表示（マーカーの色を変化させる表示）させる等の処理を行うようにしてもよい。これにより、複数のマーカーが表示される場合、ユーザーは、どのマーカーを選択しているかが分かり、操作性が向上する。
【０３２５】
また、タッチパネル２５に対するタッチ操作でマーカーを選択する場合、１点をタッチしている状態を保持しているときに、マーカーを点滅等させ、当該マーカーを一時選択状態にし、指を離すと、当該マーカーの選択を確定するようにしてもよい。
【０３２６】
また、所定のマーカーが一定時間以上選択されている場合、当該マーカーの選択を確定し、当該マーカーに対応する矩形領域が、リモートコントロール装置２Ｃの第２表示部２３の画面に表示されるようにしてもよい。
【０３２７】
［第５実施形態］
次に、第５実施形態について、説明する。
【０３２８】
本実施形態の制御システム５０００では、第４実施形態の制御システム４０００のように、第１表示部１３の表示画面にマーカーを重畳させて表示するのではなく、リモートコントロール装置２Ｄの第２表示部２３の表示画面上に、第１表示部１３の表示画面をマーカーを重畳させて縮小表示する。
【０３２９】
なお、上記実施形態と同様の部分については、同一符号を付して、詳細な説明を省略する。
【０３３０】
＜５．１：制御システムの構成＞
図２０は、第５実施形態に係る制御システム５０００の概略構成図である。
【０３３１】
図２０に示すように、制御システム５０００は、第４実施形態の制御システム４０００において、制御対象装置１Ｂを制御対象装置１Ｃに置換し、リモートコントロール装置２Ｃをリモートコントロール装置２Ｄに置換した構成を有している。
【０３３２】
制御対象装置１Ｃは、第４実施形態の制御対象装置１Ｂにおいて、調整部１５を調整部１５Ａに置換した構成を有している。また、主装置制御部１４Ｂは、第４実施形態と異なり、マーカーに関する情報を映像合成部１１に出力することはせず、調整部１５Ａにマーカーに関する情報を送信する。
【０３３３】
調整部１５Ａは、マーカーに関する情報をマーカー情報ｚ１として、主装置側インターフェース部１６の主装置側変調部１６１に出力する。それ以外については、調整部１５Ａは、前述の実施形態の調整部１５と同様である。
【０３３４】
リモートコントロール装置２Ｄは、第４実施形態のリモートコントロール装置２Ｃにおいて、第２映像合成部３１を第２映像合成部３１Ａに置換し、入力制御部２７Ｂを入力制御部２７Ｃに置換した構成を有している。
【０３３５】
第２映像合成部３１Ａは、コントローラ側インターフェース部２１から出力される映像信号Ｄ３とマーカー情報ｚ２（マーカー情報ｚ１を主装置側変調部１６１で変調し、コントローラ側復調部２１１で復調して取得したマーカー情報）と、入力制御部２７Ｂから出力される重ね合わせ用映像信号Ｄｏｎ（操作ボタンの情報、状態表示情報等に基づいて生成された映像信号Ｄｏｎ）と、入力制御部２７Ｂから出力される映像合成調整用情報を含む制御信号ｃｔｌ３と、を入力する。第２映像合成部３１Ａは、これらの情報に基づいて、映像信号Ｄ３と映像信号Ｄｏｎとを合成し映像信号Ｄ４を生成する。そして、第２映像合成部３１Ａは、生成した映像信号を合成後映像信号Ｄ４として、第２表示制御部２２Ａに出力する。なお、映像信号Ｄｏｎは、ユーザー操作用ボタン、あるいは、装置の状態などの表示映像である。
【０３３６】
合成された映像信号Ｄ４は、映像信号Ｄ３に、第１表示部１３の表示画面にマーカーを重畳した縮小表示を重畳させた映像である。なお、第２映像合成部３１Ａは、制御信号ｃｔｌ３により、第１表示部１３の表示画面にマーカーを重畳した縮小表示を重畳させるか否かを決定する。
【０３３７】
また、第２映像合成部３１Ａは、マーカーに関する情報を含むマーカー情報信号ｚ３として、入力制御部２７Ｃに出力する。
【０３３８】
入力制御部２７Ｃは、第２映像合成部３１Ａから出力されるマーカー情報信号ｚ３と、操作ボタン２６Ａから出力される操作ボタン２６Ａの操作情報を示す信号ｃｔｌ５と、タッチパネル２５から出力されるタッチ位置座標情報を含む信号ｔｃｈと、を入力とする。入力制御部２７Ｃは、信号ｃｔｌ５に含まれる操作ボタンの操作情報と、信号ｔｃｈに含まれるタッチパネル操作情報とに基づいて、映像信号Ｄ３と合成するための映像信号Ｄｏｎを生成し、生成した映像信号Ｄｏｎを第２映像合成部３１に出力する。映像信号Ｄｏｎによる映像は、例えば、操作ボタンの状態を明示する映像、あるいは、制御部システムの状態表示情報を明示する映像等である。また、入力制御部２７Ｃは、映像信号Ｄ３と映像信号Ｄｏｎとを合成するときに必要となる映像合成調整用情報（合成映像の合成位置・大きさの情報）を含む制御信号ｃｔｌ３を生成し、生成した制御信号ｃｔｌ３を第２映像合成部３１に出力する。なお、入力制御部２７Ｃは、制御信号ｃｔｌ３に、マーカーの表示／非表示の情報を含める。
【０３３９】
また、入力制御部２７Ｃは、表示制御情報を含む制御信号ｃｔｌ４を生成し、生成した制御信号ｃｔｌ４を第２表示制御部２２Ａに出力する。
【０３４０】
また、入力制御部２７Ｃは、リモートコントロール装置２Ｃの表示状態情報および制御対象装置１Ｂの制御情報を含む信号Ｄｐ１を生成し、コントローラ側インターフェース部２１のコントローラ側変調部２１２に出力する。なお、信号Ｄｐ１に含める制御情報には、マーカーの表示／非表示情報が含まれる。
【０３４１】
＜５．１：制御システムの動作＞
以上のように構成された制御システム５０００の動作について、説明する。
【０３４２】
制御システム５０００では、例えば、所定の操作（例えば、操作ボタン２６Ａの所定のボタンを押す操作）により、リモートコントロール装置２Ｄの第２表示部２３に、第１表示部１３の表示画面にマーカーを重畳させた縮小画面（これを「マーカー表示部ＭＤ」という。）を表示させる。
【０３４３】
マーカー表示部ＭＤを表示させる操作が実行された場合、入力制御部２７Ｃは、当該操作が実行されたことを示す情報を信号Ｄｐ１に含め、制御対象装置１Ｃに送信する。
【０３４４】
制御対象装置１Ｃは、リモートコントロール装置２Ｄから受信した信号Ｄｐ２により、マーカー表示部ＭＤを表示させる操作が実行されたことを把握し、記憶部１８から、マーカー情報を取得し、取得したマーカー情報を調整信号Ａｄｊに含め、調整部１５Ａに出力する。
【０３４５】
調整部１５Ａは、主装置制御部１４Ｂからのマーカー情報を主装置側インターフェース部１６を介してリモートコントロール装置２Ｄに送信する。
【０３４６】
リモートコントロール装置２Ｄの第２映像合成部３１Ａは、コントローラ側インターフェース部２１を介して、制御対象装置１Ｃから取得したマーカー情報に基づいて、マーカー表示部ＭＤを重畳させた合成後映像信号Ｄ４を生成し、第２表示制御部２２Ａに出力する。
【０３４７】
第２表示制御部２２Ａは、第２映像合成部３１Ａからの合成後映像信号Ｄ４を、入力制御部２７Ｃからの制御信号ｃｔｌ４に基づいて、第２表示部２３に表示させる。
【０３４８】
このように処理することで、例えば、図２１に示すように、第２表示部２３に、マーカー表示部ＭＤが表示される。
【０３４９】
なお、制御システム５０００において、マーカー表示部ＭＤの調整を実行できるようにしてもよい。
【０３５０】
例えば、制御システム５０００において、マーカー表示調整モードを設け、操作ボタン２６Ａの所定のボタンにマーカー表示調整モードへの移行処理を割り当て、当該ボタンがユーザーに押下されることで、マーカー表示調整モードに移行させる。
【０３５１】
そして、マーカー表示調整モードに移行した場合、例えば、ユーザーがマーカー表示部ＭＤ部分を２点タッチし、ピッチ操作することで、マーカー表示部ＭＤの表示を拡大あるいは縮小させるようにしてもよい。
【０３５２】
また、マーカー表示調整モードに移行した場合、例えば、ユーザーがマーカー表示部ＭＤ部分を２点タッチし、タッチしながら所定の方向に回転させる操作を行うことで、当該方向にマーカー表示部ＭＤの表示を回転させるようにしてもよい。
【０３５３】
あるいは、制御システム５０００において、上記処理を実行させるために、操作ボタン２６Ａの所定のボタンに機能割り当てを行い、所定のボタンが押下された場合、当該ボタンに割り当てられている機能が実現されるようにしてもよい。
【０３５４】
また、制御システム５０００において、表示角度変更処理が実行された場合、マーカー表示部ＭＤの回転を、表示角度変更処理による表示の回転に連動させるようにしてもよい。
【０３５５】
例えば、制御システム５０００において、表示角度変更処理が実行され、図２１に示す状態から、図２２に示す状態になった場合に、リモートコントロール装置２Ｄの第２表示部のマーカー表示部ＭＤの表示も、表示角度変更処理による表示の回転に連動させるようにしてもよい。
【０３５６】
これにより、図２２に示すように、表示角度変更処理後においても、リモートコントロール装置２Ｄの第２表示部と、マーカー表示部ＭＤとの表示方向が一致するため、ユーザーは、マーカー位置を容易に認識することができ、操作性が向上する。
【０３５７】
［他の実施形態］
上記実施形態（変形例を含む）の一部または全部を組み合わせて、制御システム、制御対象装置、および／または、リモートコントロール装置を実現するようにしてもよい。
【０３５８】
また、上記実施形態の画像処理システム、画像処理装置の一部または全部は、集積回路（例えば、ＬＳＩ、システムＬＳＩ等）として実現されるものであってもよい。
【０３５９】
上記実施形態の各機能ブロックの処理の一部または全部は、プログラムにより実現されるものであってもよい。そして、上記実施形態の各機能ブロックの処理の一部または全部は、コンピュータにおいて、中央演算装置（ＣＰＵ）により実行されるものであってもよい。また、それぞれの処理を行うためのプログラムは、ハードディスク、ＲＯＭなどの記憶装置に格納されており、中央演算装置（ＣＰＵ）が、ＲＯＭ、あるいはＲＡＭから当該プログラムを読み出し、実行されるものであってもよい。
【０３６０】
また、上記実施形態の各処理をハードウェアにより実現してもよいし、ソフトウェア（ＯＳ（オペレーティングシステム）、ミドルウェア、あるいは、所定のライブラリとともに実現される場合を含む。）により実現してもよい。さらに、ソフトウェアおよびハードウェアの混在処理により実現しても良い。
【０３６１】
また、上記実施形態における処理方法の実行順序は、必ずしも、上記実施形態の記載に制限されるものではなく、発明の要旨を逸脱しない範囲で、実行順序を入れ替えることができるものである。
【０３６２】
前述した方法をコンピュータに実行させるコンピュータプログラム及びそのプログラムを記録したコンピュータ読み取り可能な記録媒体は、本発明の範囲に含まれる。ここで、コンピュータ読み取り可能な記録媒体としては、例えば、フレキシブルディスク、ハードディスク、ＣＤ−ＲＯＭ、ＭＯ、ＤＶＤ、大容量ＤＶＤ、次世代ＤＶＤ、半導体メモリを挙げることができる。
【０３６３】
上記コンピュータプログラムは、上記記録媒体に記録されたものに限られず、電気通信回線、無線又は有線通信回線、インターネットを代表とするネットワーク等を経由して伝送されるものであってもよい。
【０３６４】
なお、本発明の具体的な構成は、前述の実施形態に限られるものではなく、発明の要旨を逸脱しない範囲で種々の変更および修正が可能である。
【０３６５】
［付記］
なお、本発明は、以下のようにも表現することができる。
【０３６６】
第１の発明は、制御対象装置と、リモートコントロール装置とを備える制御システムである。
【０３６７】
制御対象装置は、映像を表示させるための第１表示部と、第１表示制御部と、調整部と、主装置制御部と、主装置側インターフェース部と、を備える。
【０３６８】
リモートコントロール装置は、映像を表示させるための第２表示部と、第２表示制御部と、入力制御部と、モード切替部と、のコントローラ側インターフェース部と、を備える。
【０３６９】
第１表示制御部は、第１表示部に映像を表示させるために、第１表示部に対して、駆動制御を行う。
【０３７０】
調整部は、第１表示部に表示される映像から、映像の一部または全部を抽出することで、調整後映像信号を取得する。
【０３７１】
主装置制御部は、第１表示制御部および調整部を制御する。
【０３７２】
主装置側インターフェース部は、調整部により取得された調整後映像信号をリモートコントロール装置に送信するためのインターフェースである。
【０３７３】
第２表示制御部は、第２表示部に映像を表示させるために、第２表示部に対して、駆動制御を行う。
【０３７４】
入力制御部は、第２表示部に表示される映像の表示を制御するための情報を入力する。
【０３７５】
モード切替部は、第２表示部に表示されている映像の表示を変更するための表示操作モードと、制御対象装置の機器操作を行うための機器操作モードとを切り替える。
【０３７６】
コントローラ側インターフェース部は、制御対象装置の主装置側インターフェース部と通信するためのインターフェースである。
【０３７７】
そして、表示操作モードに設定されている場合であって、第２表示部の表示画面上の位置を特定する情報である位置特定情報が入力制御部に入力された場合、
入力制御部は、位置特定情報を、コントローラ側インターフェース部と、主装置側インターフェース部とを介して、主装置制御部に出力し、
主装置制御部は、第１表示部の表示画面全体に設定した座標平面を、第２表示部の表示画面全体に設定した座標平面に対応付けることで、絶対位置座標を設定し、
調整部は、位置特定情報が示す点Ｐ２に相当する、第１表示部の表示画面の絶対位置座標上の点Ｐ１を含む画像領域ＡＲ１であって、第１表示部に表示されている画像領域ＡＲ１を形成する調整後映像信号を取得し、
第２表示制御部は、調整後映像信号に基づいて、画像領域ＡＲ１を第２表示部に表示させる。
【０３７８】
この制御システムでは、リモートコントロール装置の第２表示部の表示画面の位置（領域であってもよい。）を特定することで、すなわち、位置特定情報を取得することで、絶対位置座標による表示位置変更処理（移動処理）を行うことができる。
【０３７９】
したがって、例えば、制御対象装置を、高解像度ディスプレイ装置を有するテレビ受信機（制御対象機器）としたとき、リモートコントロール装置の第２表示部に、制御対象装置の表示画面を表示させるとともに、当該表示の移動を、感覚的な操作により、迅速に実行することができる。
【０３８０】
第２の発明は、第１の発明であって、位置特定情報は、第２表示部の表示画面上の１点を特定する情報である。
【０３８１】
これにより、この制御システムでは、第２表示部の表示画面上の１点を特定することで、位置特定情報を取得することができる。
【０３８２】
第３の発明は、第１または第２の発明であって、表示操作モードに設定されている場合であって、第２表示部の表示画面に表示されている画像を第１方向にシフトさせて表示更新させるための情報である表示更新用情報が入力制御部に入力された場合、入力制御部、主装置制御部、調整部、および、第２表示制御部は、以下の処理を行う。
【０３８３】
入力制御部は、表示更新用情報を、コントローラ側インターフェース部と、主装置側インターフェース部とを介して、主装置制御部に出力する。
【０３８４】
主装置制御部は、第１表示部の表示画面の一部に設定した座標平面を、第２表示部の表示画面全体に設定した座標平面に対応付けることで、相対位置座標を設定する。
【０３８５】
調整部は、第１表示部の表示画面上において、相対位置座標に設定されている第１表示部の表示画面の領域を、第１方向と逆方向にずらした位置に存在する画像領域であるシフト後画像領域を形成する調整後映像信号を取得する。
【０３８６】
第２表示制御部は、調整後映像信号に基づいて、シフト後画像領域を第２表示部に表示させる。
【０３８７】
この制御システムでは、表示更新用情報を取得することで、相対位置座標による表示の移動処理を行うことができる。
【０３８８】
したがって、例えば、制御対象装置を、高解像度ディスプレイ装置を有するテレビ受信機（制御対象機器）としたとき、リモートコントロール装置の第２表示部に、制御対象装置の表示画面を表示させるとともに、当該表示の移動処理を、感覚的な操作により、迅速に実行することができる。
【０３８９】
第４の発明は、第１または第２の発明であって、表示操作モードに設定されている場合であって、第２表示部の表示画面上の２点を特定する情報である２点特定情報が入力制御部に入力された場合、入力制御部は、２点特定情報を、コントローラ側インターフェース部と、主装置側インターフェース部とを介して、主装置制御部に出力し、主装置制御部は、第１表示部の表示画面の一部に設定した座標平面を、第２表示部の表示画面全体に設定した座標平面に対応付けることで、相対位置座標を設定する。
【０３９０】
そして、調整部および第２表示制御部は、以下の処理を行う。
【０３９１】
２点特定情報が示す２つの点が、所定の方向Ｄｉｒ１にずらされている場合、調整部は、第１表示部の表示画面上において、相対位置座標に設定されている第１表示部の表示画面の領域を、方向Ｄｉｒ１と逆方向にずらした位置に存在する画像領域ＡＲ２を形成する調整後映像信号を取得し、第２表示制御部は、調整後映像信号に基づいて、画像領域ＡＲ２を第２表示部に表示させる。
【０３９２】
この制御システムでは、さらに、リモートコントロール装置の第２表示部の表示画面の２点を特定することで、すなわち、２点特定情報を取得することで、相対位置座標による表示の移動処理を行うことができる。
【０３９３】
したがって、例えば、制御対象装置を、高解像度ディスプレイ装置を有するテレビ受信機（制御対象機器）としたとき、リモートコントロール装置の第２表示部に、制御対象装置の表示画面を表示させるとともに、当該表示の移動処理を、感覚的な操作により、迅速に実行することができる。
【０３９４】
第５の発明は、第１または第２の発明であって、表示操作モードに設定されている場合であって、第２表示部の表示画面に表示されている画像を拡大して表示更新させるための情報である拡大表示用情報が入力制御部に入力された場合、入力制御部、主装置制御部、調整部、および、第２表示制御部は、以下の処理を行う。
【０３９５】
入力制御部は、拡大表示用情報を、コントローラ側インターフェース部と、主装置側インターフェース部とを介して、主装置制御部に出力する。
【０３９６】
主装置制御部は、第１表示部の表示画面の一部に設定した座標平面を、第２表示部の表示画面全体に設定した座標平面に対応付けることで、相対位置座標を設定する。
【０３９７】
調整部は、拡大表示用情報に基づいて、第１表示部の表示画面上において、相対位置座標に設定されている第１表示部の表示画面の領域を、縮小した大きさの画像領域である縮小後画像領域を形成する調整後映像信号を取得する。
【０３９８】
第２表示制御部は、調整後映像信号に基づいて、縮小後画像領域を第２表示部に表示させる。
【０３９９】
この制御システムでは、拡大表示用情報を取得することで、相対位置座標による表示の拡大率変更処理を行うことができる。
【０４００】
したがって、例えば、制御対象装置を、高解像度ディスプレイ装置を有するテレビ受信機（制御対象機器）としたとき、リモートコントロール装置の第２表示部に、制御対象装置の表示画面を表示させるとともに、当該表示の拡大率変更処理を、感覚的な操作により、迅速に実行することができる。
【０４０１】
第６の発明は、第１または第２の発明であって、表示操作モードに設定されている場合であって、第２表示部の表示画面上の２点を特定する情報である２点特定情報が入力制御部に入力された場合、入力制御部は、２点特定情報を、コントローラ側インターフェース部と、主装置側インターフェース部とを介して、主装置制御部に出力し、主装置制御部は、第１表示部の表示画面の一部に設定した座標平面を、第２表示部の表示画面全体に設定した座標平面に対応付けることで、相対位置座標を設定する。
【０４０２】
そして、調整部および第２表示制御部は、以下の処理を行う。
【０４０３】
２点特定情報が示す２つの点の間の距離が大きくなるように変化している場合、調整部は、第１表示部の表示画面上において、相対位置座標に設定されている第１表示部の表示画面の領域を、縮小した大きさの画像領域ＡＲ３を形成する調整後映像信号を取得し、第２表示制御部は、調整後映像信号に基づいて、画像領域ＡＲ３を第２表示部に表示させる。
【０４０４】
この制御システムでは、さらに、リモートコントロール装置の第２表示部の表示画面の２点を特定することで、すなわち、２点特定情報を取得することで、相対位置座標による表示の拡大率変更処理を行うことができる。
【０４０５】
したがって、例えば、制御対象装置を、高解像度ディスプレイ装置を有するテレビ受信機（制御対象機器）としたとき、リモートコントロール装置の第２表示部に、制御対象装置の表示画面を表示させるとともに、当該表示の拡大率変更処理を、感覚的な操作により、迅速に実行することができる。
【０４０６】
第７の発明は、第１または第２の発明であって、表示操作モードに設定されている場合であって、第２表示部の表示画面に表示されている画像を縮小して表示更新させるための情報である縮小表示用情報が入力制御部に入力された場合、入力制御部、主装置制御部、調整部、および、第２表示制御部は、以下の処理を行う。
【０４０７】
入力制御部は、縮小表示用情報を、コントローラ側インターフェース部と、主装置側インターフェース部とを介して、主装置制御部に出力する。
【０４０８】
主装置制御部は、第１表示部の表示画面の一部に設定した座標平面を、第２表示部の表示画面全体に設定した座標平面に対応付けることで、相対位置座標を設定する。
【０４０９】
調整部は、縮小表示用情報に基づいて、第１表示部の表示画面上において、相対位置座標に設定されている第１表示部の表示画面の領域を、拡大した大きさの画像領域である拡大後画像領域を形成する調整後映像信号を取得する。
【０４１０】
第２表示制御部は、調整後映像信号に基づいて、拡大後画像領域を第２表示部に表示させる。
【０４１１】
この制御システムでは、縮小表示用情報を取得することで、相対位置座標による表示の拡大率変更処理を行うことができる。
【０４１２】
したがって、例えば、制御対象装置を、高解像度ディスプレイ装置を有するテレビ受信機（制御対象機器）としたとき、リモートコントロール装置の第２表示部に、制御対象装置の表示画面を表示させるとともに、当該表示の拡大率変更処理を、感覚的な操作により、迅速に実行することができる。
【０４１３】
第８の発明は、第１または第２の発明であって、表示操作モードに設定されている場合であって、第２表示部の表示画面上の２点を特定する情報である２点特定情報が入力制御部に入力された場合、入力制御部は、２点特定情報を、コントローラ側インターフェース部と、主装置側インターフェース部とを介して、主装置制御部に出力し、主装置制御部は、第１表示部の表示画面の一部に設定した座標平面を、第２表示部の表示画面全体に設定した座標平面に対応付けることで、相対位置座標を設定する。
【０４１４】
そして、調整部および第２表示制御部は、以下の処理を行う。
【０４１５】
２点特定情報が示す２つの点の間の距離が小さくなるように変化している場合、調整部は、第１表示部の表示画面上において、相対位置座標に設定されている第１表示部の表示画面の領域を、拡大した大きさの画像領域ＡＲ４を形成する調整後映像信号を取得し、第２表示制御部は、調整後映像信号に基づいて、画像領域ＡＲ３を第２表示部に表示させる。
【０４１６】
この制御システムでは、さらに、リモートコントロール装置の第２表示部の表示画面の２点を特定することで、すなわち、２点特定情報を取得することで、相対位置座標による表示の拡大率変更処理を行うことができる。
【０４１７】
したがって、例えば、制御対象装置を、高解像度ディスプレイ装置を有するテレビ受信機（制御対象機器）としたとき、リモートコントロール装置の第２表示部に、制御対象装置の表示画面を表示させるとともに、当該表示の拡大率変更処理を、感覚的な操作により、迅速に実行することができる。
【０４１８】
第９の発明は、第１または第２の発明であって、表示操作モードに設定されている場合であって、第２表示部の表示画面に表示されている画像を第１回転方向に回転して表示更新させるための情報である回転表示用情報が入力制御部に入力された場合、入力制御部、主装置制御部、調整部、および、第２表示制御部は、以下の処理を行う。
【０４１９】
入力制御部は、回転表示用情報を、コントローラ側インターフェース部と、主装置側インターフェース部とを介して、主装置制御部に出力する。
【０４２０】
主装置制御部は、第１表示部の表示画面の一部に設定した座標平面を、第２表示部の表示画面全体に設定した座標平面に対応付けることで、相対位置座標を設定する。
【０４２１】
調整部は、回転表示用情報に基づいて、第１表示部の表示画面上において、相対位置座標に設定されている第１表示部の表示画面の領域を、第１回転方向と逆方向に回転した位置に存在する画像領域である回転後画像領域を形成する調整後映像信号を取得する。
【０４２２】
第２表示制御部は、調整後映像信号に基づいて、回転後画像領域を第２表示部に表示させる。
【０４２３】
この制御システムでは、回転表示用情報を取得することで、相対位置座標による表示の角度変更処理を行うことができる。
【０４２４】
したがって、例えば、制御対象装置を、高解像度ディスプレイ装置を有するテレビ受信機（制御対象機器）としたとき、リモートコントロール装置の第２表示部に、制御対象装置の表示画面を表示させるとともに、当該表示の角度変更処理を、感覚的な操作により、迅速に実行することができる。
【０４２５】
第１０の発明は、第１または第２の発明であって、表示操作モードに設定されている場合であって、第２表示部の表示画面上の２点を特定する情報である２点特定情報が入力制御部に入力された場合、入力制御部は、２点特定情報を、コントローラ側インターフェース部と、主装置側インターフェース部とを介して、主装置制御部に出力し、主装置制御部は、第１表示部の表示画面の一部に設定した座標平面を、第２表示部の表示画面全体に設定した座標平面に対応付けることで、相対位置座標を設定する。
【０４２６】
そして、調整部および第２表示制御部は、以下の処理を行う。
【０４２７】
２点特定情報が示す２つの点が所定の回転方向である第１回転方向に移動している場合、調整部は、第１表示部の表示画面上において、相対位置座標に設定されている第１表示部の表示画面の領域を、第１回転方向と逆方向に回転した位置に存在する画像領域ＡＲ５を形成する調整後映像信号を取得し、第２表示制御部は、調整後映像信号に基づいて、画像領域ＡＲ５を第２表示部に表示させる。
【０４２８】
この制御システムでは、さらに、リモートコントロール装置の第２表示部の表示画面の２点を特定することで、すなわち、２点特定情報を取得することで、相対位置座標による表示の角度変更処理を行うことができる。
【０４２９】
したがって、例えば、制御対象装置を、高解像度ディスプレイ装置を有するテレビ受信機（制御対象機器）としたとき、リモートコントロール装置の第２表示部に、制御対象装置の表示画面を表示させるとともに、当該表示の角度変更処理を、感覚的な操作により、迅速に実行することができる。
【０４３０】
第１１の発明は、第１から第１０のいずれかの発明であって、モード切替部は、表示位置変更可否情報を入力することができる。そして、第２表示部は、以下の処理を実行する。
（１）モード切替部に入力された表示位置変更可否情報が、表示位置変更を許可することを示す情報である場合、第２表示部は、調整後映像信号に基づいて、第２表示部の表示を変更させる。
（２）モード切替部に入力された表示位置変更可否情報が、表示位置変更を許可しないことを示す情報である場合、第２表示部は、調整後映像信号に基づく第２表示部の表示の変更を実行しない。
【０４３１】
この制御システムでは、表示位置変更可否情報が表示位置変更を許可することを示す情報である場合のみ、第２表示部の表示の変更（更新）を行うことができるので、ユーザーが意図せずに、第２表示部の表示が変更（更新）されることを適切に防止することができる。その結果、この制御システムでは、さらに操作性を向上させることができる。
【０４３２】
第１２の発明は、第１から第１１のいずれかの発明であって、制御対象装置は、マーカーに関する情報を記憶する記憶部をさらに備え、リモートコントロール装置は、入力制御部からの指令に基づいて、調整後映像信号に、所定の情報を含む副映像信号を合成することで、合成後映像信号を取得する第２映像合成部をさらに備える。
【０４３３】
第２表示制御部は、第２表示部に、合成後映像信号を表示するように、第２表示部を制御する。
【０４３４】
主装置制御部は、第２表示部に表示されている画像領域に対応する、第１表示部に表示されている表示画面上の画像領域に、マーカーが重畳して表示されるように、第１表示制御部を制御する。
【０４３５】
この制御システム４０００では、リモートコントロール装置の第２表示部に表示されている画像領域（映像領域）に対応する制御対象装置の第１表示部の表示画面上の画像領域（映像領域）にマーカーが表示される。これにより、ユーザーは、リモートコントロール装置の第２表示部に表示されている画像（映像）が、制御対象装置の第１表示部に表示されている画像（映像）のどの部分であるのかを容易に認識することができる。
【０４３６】
第１３の発明は、第１２の発明であって、主装置制御部は、ユーザーによる所定の操作が実行された場合、第２表示部に表示されている画像領域に対応する、第１表示部に表示されている表示画面上の画像領域の情報をマーカー情報として、記憶部に記憶する。
【０４３７】
これにより、この制御システムでは、ユーザーが所望のタイミングで、この制御システムでの表示状態を示すマーカー情報を記憶部に記憶することができる。
【０４３８】
第１４の発明は、第１３の発明であって、主装置制御部は、ユーザーによる所定の操作が実行された場合、記憶部に記憶されているマーカー情報を読み出し、第１表示部の表示画面上において、読み出したマーカー情報により特定される画像領域に、マーカーが重畳して表示されるように、第１表示制御部を制御する。
【０４３９】
これにより、この制御システムでは、過去に記憶したマーカー情報を呼び出して、第１表示部の表示画面上に、マーカーを表示させることができる。さらに、この制御システムでは、呼び出されたマーカーを選択することで、選択されたマーカーを保存したときと同様の状態を再現することができる。
【０４４０】
第１５の発明は、第１から第１１のいずれかの発明であって、制御対象装置は、マーカーに関する情報を記憶する記憶部をさらに備え、リモートコントロール装置は、入力制御部からの指令に基づいて、調整後映像信号に、所定の情報を含む副映像信号を合成することで、合成後映像信号を取得する第２映像合成部をさらに備える。
【０４４１】
第２表示制御部は、第２表示部に、合成後映像信号を表示するように、第２表示部を制御する。
【０４４２】
入力制御部は、第２表示部に表示されている画像領域に対応する、第１表示部に表示されている表示画面上の画像領域に、マーカーを重畳させた映像を縮小して、調整後映像信号に、合成されることで、合成後映像信号が生成されるように、第２映像合成部を制御する。
【０４４３】
これにより、この制御システムでは、リモートコントロール装置の第２表示部に、第２表示部に表示されている画像領域に対応する、第１表示部に表示されている表示画面上の画像領域に、マーカーを重畳させた映像（画像）を縮小して表示させることができる。
【０４４４】
また、本発明は、以下のようにも表現することができる。
【０４４５】
なお、以下において、「発明Ｎ」（Ｎ：１〜９のいずれかの整数）は、上記の「第Ｎの発明」に相当する。
【０４４６】
［発明１１］
前記リモートコントロール装置は、タッチパネルをさらに備え、
前記入力制御部は、前記タッチパネル上のタッチ点により、前記１点特定情報、前記２点特定情報、前記表示更新用情報、前記拡大表示用情報、前記縮小表示用情報、および、前記回転表示用情報の少なくとも１つを取得する、
発明２から発明１０のいずれかに記載の制御システム。
【０４４７】
［発明１２］
前記制御対象装置は、外部に赤外光を照射する赤外線送信部をさらに備え、
前記リモートコントロール装置は、前記赤外線送信部から照射される赤外光を受光する赤外線受信部をさらに備え、
前記赤外線受信部は、前記赤外線送信部から受光した赤外線に基づいて、前記１点特定情報を取得し、前記入力制御部に入力させる、
発明１から発明１０のいずれかに記載の制御システム。
【０４４８】
［発明１３］
前記赤外線送信部は、前記第１表示部の周辺に配置された４つの赤外光用発光ダイオードをさらに備え、
前記赤外線受信部は、前記赤外線送信部から照射された赤外線を集光する光学系を備える赤外光用撮像装置であり、
前記赤外線受信部は、前記第１表示部の周辺に配置された４つの赤外光用発光ダイオードを含むシーンを撮像することで、赤外光撮像画像を取得し、取得した前記赤外光撮像画像上の前記４つの赤外光用発光ダイオードの位置と、前記赤外線受信部の前記光学系の光軸および前記第１表示部の表示画面の位置関係とに基づいて、前記光学系の光軸と前記第１表示部の表示画面との交点の座標情報を取得し、取得した当該座標情報に基づいて、前記１点特定情報を取得する、
発明１２に記載の制御システム。
【０４４９】
第１１の発明は、第２から第１０のいずれかの発明であって、タッチパネルをさらに備え、入力制御部は、タッチパネル上のタッチ点により、１点特定情報、２点特定情報、表示更新用情報、拡大表示用情報、縮小表示用情報、および、回転表示用情報の少なくとも１つを取得する。
【０４５０】
これにより、この制御システムでは、タッチパネルを用いて、１点特定情報、２点特定情報、表示更新用情報、拡大表示用情報、縮小表示用情報、および、回転表示用情報の少なくとも１つを取得することができる。
【０４５１】
第１２の発明は、第１から第１０のいずれかの発明であって、制御対象装置は、外部に赤外光を照射する赤外線送信部をさらに備え、リモートコントロール装置は、赤外線送信部から照射される赤外光を受光する赤外線受信部をさらに備える。
【０４５２】
赤外線受信部は、赤外線送信部から受光した赤外線に基づいて、１点特定情報を取得し、入力制御部に入力させる。
【０４５３】
これにより、この制御システムでは、赤外線送信部から受光した赤外線に基づいて、１点特定情報を取得することができる。
【０４５４】
第１３の発明は、第１２の発明であって、赤外線送信部は、第１表示部の周辺に配置された４つの赤外光用発光ダイオードをさらに備える。
【０４５５】
赤外線受信部は、赤外線送信部から照射された赤外線を集光する光学系を備える赤外光用撮像装置である。
【０４５６】
赤外線受信部は、第１表示部の周辺に配置された４つの赤外光用発光ダイオードを含むシーンを撮像することで、赤外光撮像画像を取得し、取得した赤外光撮像画像上の４つの赤外光用発光ダイオードの位置と、赤外線受信部の光学系の光軸および第１表示部の表示画面の位置関係とに基づいて、光学系の光軸と第１表示部の表示画面との交点の座標情報を取得し、取得した当該座標情報に基づいて、１点特定情報を取得する。
【０４５７】
これにより、この制御システムでは、リモートコントロール装置（赤外線受信部の光学系の光軸）の向きを変えることで、絶対位置座標による表示位置変更処理を実行することができるため、さらに、操作性を向上させることができる。
【産業上の利用可能性】
【０４５８】
本発明は、高解像度ディスプレイ装置を有するテレビ受信機（制御対象機器）の表示画面を表示させるとともに、当該表示の移動、表示倍率変更、表示角度変更等の処理を、感覚的な操作により、迅速に実行することができる制御システムを実現することができる。したがって、本発明は、映像関連産業分野において、有用であり、当該分野において実施することができる。
【符号の説明】
【０４５９】
１０００、２０００、３０００、４０００、５０００  制御システム
１、１Ａ、１Ｂ、１Ｃ  制御対象装置
１２  第１表示制御部
１３  第１表示部
１４、１４Ｂ  主装置制御部
１５  調整部
１６  主装置側インターフェース部
２、２Ａ、２Ｂ、２Ｃ、２Ｄ  リモートコントロール装置
２１  コントローラ側インターフェース部
２２、２２Ａ  第２表示制御部
２３  第２表示部
２４  タッチパネル制御部
２５  タッチパネル
２６  モード切替部
２７、２７Ａ、２７Ｂ、２７Ｃ  入力制御部
３１  第２映像合成部
【図１】
2016015704.tif 000003
【図２】
2016015704.tif 000004
【図３】
2016015704.tif 000005
【図４】
2016015704.tif 000006
【図５】
2016015704.tif 000007
【図６】
2016015704.tif 000008
【図７】
2016015704.tif 000009
【図８】
2016015704.tif 000010
【図９】
2016015704.tif 000011
【図１０】
2016015704.tif 000012
【図１１】
2016015704.tif 000013
【図１２】
2016015704.tif 000014
【図１３】
2016015704.tif 000015
【図１４】
2016015704.tif 000016
【図１５】
2016015704.tif 000017
【図１６】
2016015704.tif 000018
【図１７】
2016015704.tif 000019
【図１８】
2016015704.tif 000020
【図１９】
2016015704.tif 000021
【図２０】
2016015704.tif 000022
【図２１】
2016015704.tif 000023
【図２２】
2016015704.tif 000024